(57)【要約】【課題】利用者端末に備わる撮像機能を活用した新たな楽しみ方を提供すること。【解決手段】利用者１が有する利用者端末２の情報出力部２０−２に課題画像情報と（課題画像情報と同じ構図の画像を撮像することをイベントの課題として利用者１に求める）イベントのルール情報を出力し、ルール情報に応じた利用者１が利用者端末２に備わる撮像機能を用いて撮像画像情報を撮像すると、イベント提供システムは利用者１に与えた課題画像情報と撮像された撮像画像情報とが同じ構図で撮像されているか判断し、その判断結果に基づいてイベントの達成／未達成を決める。課題画像情報は、あたかも一枚の写真のように余分な説明が一切無いシンプルな情報であるので、利用者１が本来、人として持つ好奇心をくすぐられ、自由な推測や想像をめぐらすことが出来ると同時に、説明の少なさゆえに他人から指示されて行動を促されたかの印象を利用者１に感じさせない。【選択図】    図６
2004355325.tif 000002
【特許請求の範囲】
【請求項１】
撮像対象物をあらかじめ撮像した撮像画像情報を利用者に課題画像情報として与え、該課題画像情報と同じ構図での前記撮像対象物の撮像を課題とするイベントを提供するイベント提供システムであって、
前記課題画像情報を記憶する課題画像情報記憶手段と、
前記利用者に対して与えた前記課題画像情報と同じ構図で前記撮像対象物の撮像を前記利用者に求めるイベントルール情報を記憶するイベントルール情報記憶手段と、
イベント開始要求を受け付けると、受け付けたイベント開始要求に基づいて前記イベントルール情報記憶手段から前記イベントルール情報を取得するイベントルール情報取得手段と、
前記イベントルール情報取得手段が取得した前記イベントルール情報に基づいて前記課題画像情報記憶手段から課題となる前記課題画像情報を取得する課題画像情報取得手段と、
前記課題画像情報取得手段が取得した前記課題画像情報を、前記イベントルール情報取得手段が取得した前記イベントルール情報とともに情報出力手段に出力することを特徴とするイベント提供システム。
【請求項２】
前記課題に対応する撮像画像情報を受け付けると、受け付けた撮像画像情報と課題である前記課題画像情報とが一致するか否かを示す適合度合を判断する画像適合度合判断手段と、
前記画像適合度合判断手段が判断した前記適合度合に基づいて前記課題の達成／未達成を判断する課題達成／未達成判断手段とをさらに有し、
前記課題達成／未達成判断手段が判断した前記課題の達成／未達成を前記情報出力手段に出力することを特徴とする請求項１に記載のイベント提供システム。
【請求項３】
前記課題画像情報記憶手段は、前記課題画像情報を前記課題画像情報が撮像された撮像場所を含んだあらかじめ定めるエリアを示す課題画像撮像エリア情報とともに記憶し、
前記撮像対象物の形状的特徴情報を記憶する撮像対象物特徴情報記憶手段と、
前記課題に対応する撮像画像情報を該撮像画像情報が撮像された場所を示す撮像場所情報とともに受け付けると、受け付けた撮像画像情報に対応する前記課題画像情報に撮像されている前記撮像対象物の形状的特徴情報を前記撮像対象物特徴情報記憶手段から取得する撮像対象物特徴情報取得手段と、
前記撮像対象物特徴情報取得手段が取得した前記撮像対象物の形状的特徴情報に基づいて、受け付けた前記撮像画像情報に前記撮像対象物が撮像されているか否かを判断する撮像対象物判断手段と、
前記撮像対象物判断手段によって、受け付けた前記撮像画像情報に前記撮像対象物が撮像されていると判断した場合には前記課題画像情報とともに記憶される前記課題画像撮像エリア情報を前記課題画像情報記憶手段から取得する課題画像撮像エリア情報取得手段と、
前記課題画像撮像エリア情報取得手段が取得した前記課題画像撮像エリア情報が示す撮像場所のエリアに受け付けた撮像場所情報が含まれるか否かを判断する撮像場所判断手段とをさらに有し、
前記撮像場所判断手段によって、前記課題画像撮像エリア情報が示す撮像場所のエリアに受け付けた前記撮像場所情報が含まれると判断した場合には課題達成を示す結果情報を、前記課題画像撮像エリア情報が示す撮像場所のエリアに受け付けた撮像撮像場所情報が含まれないと判断した場合には撮像場所違いを示す結果情報を、さらに前記撮像対象物判断手段によって、受け付けた前記撮像画像情報に前記撮像対象物が撮像されていないと判断した場合には撮像対象物違いを示す結果情報を前記情報出力手段に出力することを特徴とする請求項１に記載のイベント提供システム。
【請求項４】
撮像対象物をあらかじめ撮像した撮像画像情報を利用者に課題画像情報として与え、該課題画像情報と同じ構図での前記撮像対象物の撮像を課題とするイベントを提供し、画像に関する判断に判断者を活用するために判断者の有する判断者端末との間で画像情報を送受信するイベント提供システムであって、
前記課題画像情報を記憶する課題画像情報記憶手段と、
前記利用者に対して与えた前記課題画像情報と同じ構図で前記撮像対象物の撮像を前記利用者に求めるイベントルール情報を、該イベントルール情報に対応した前記判断者向け判断基準情報とともに記憶するイベントルール情報記憶手段と、
イベント開始要求を受け付けると、受け付けたイベント開始要求に基づいて前記イベントルール情報記憶手段から前記イベントルール情報を取得するイベントルール情報取得手段と、
前記イベントルール情報取得手段が取得した前記イベントルール情報に基づいて前記課題画像情報記憶手段から課題となる前記課題画像情報を取得する課題画像情報取得手段と、
前記課題画像情報取得手段が取得した前記課題画像情報を、前記イベントルール情報取得手段が取得した前記イベントルール情報とともに出力する情報出力手段と、
前記課題に対応する撮像画像情報を受け付けると、前記情報出力手段に出力した前記イベントルール情報に対応する前記判断基準情報を前記イベントルール情報記憶手段から取得する判断基準情報取得手段と、
前記判断基準情報取得手段が取得した前記判断基準情報とともに、受け付けた撮像画像情報と課題である前記課題画像情報とを前記判断者端末に送信する情報送信手段と、
前記情報送信手段が送信した前記判断基準情報に基づいた判断結果情報を前記判断者端末から受信すると、受信した判断結果情報に基づいて前記課題の達成／未達成を判断する課題達成／未達成判断手段とを有し、
前記課題達成／未達成判断手段が判断した前記課題の達成／未達成を前記情報出力手段に出力することを特徴とするイベント提供システム。
【請求項５】
撮像対象物をあらかじめ撮像した撮像画像情報を利用者に課題画像情報として与え、該課題画像情報と同じ構図での前記撮像対象物の撮像を課題とするイベントを提供し、画像に関する判断に判断者を活用するために判断者の有する判断者端末との間で画像情報を送受信するイベント提供システムであって、
前記課題画像情報が撮像された撮像場所を含んだあらかじめ定めるエリアを示す課題画像撮像エリア情報とともに前記課題画像情報を記憶する課題画像情報記憶手段と、
前記撮像画像情報のうち、前記撮像対象物の形状や外観など見た目の特徴がよくわかる前記撮像画像情報をサンプル画像情報として記憶するサンプル画像情報記憶手段と、
前記利用者に対して与えた前記課題画像情報と同じ構図で前記撮像対象物の撮像を前記利用者に求めるイベントルール情報を、該イベントルール情報に対応した前記判断者向け判断基準情報とともに記憶するイベントルール情報記憶手段と、
イベント開始要求を受け付けると、受け付けたイベント開始要求に基づいて前記イベントルール情報記憶手段から前記イベントルール情報を取得するイベントルール情報取得手段と、
前記イベントルール情報取得手段が取得した前記イベントルール情報に基づいて前記課題画像情報記憶手段から課題となる前記課題画像情報を取得する課題画像情報取得手段と、
前記課題画像情報取得手段が取得した前記課題画像情報を、前記イベントルール情報取得手段が取得した前記イベントルール情報とともに出力する情報出力手段と、
前記課題に対応する撮像画像情報を該撮像画像情報が撮像された場所を示す撮像場所情報とともに受け付けると、前記情報出力手段に出力した前記イベントルール情報に対応する前記判断基準情報を前記イベントルール情報記憶手段から取得する判断基準情報取得手段と、
受け付けた前記撮像画像情報に対応する前記課題画像情報に撮像されている前記撮像対象物の前記サンプル画像情報を前記サンプル画像情報記憶手段から取得するサンプル画像情報取得手段と、
前記判断基準情報取得手段が取得した前記判断基準情報と前記サンプル画像情報取得手段が取得した前記サンプル画像情報とともに、受け付けた撮像画像情報を前記判断者端末に送信する情報送信手段と、
前記情報送信手段が送信した前記判断基準情報に基づいた判断結果情報を前記判断者端末から受信すると、受信した判断結果情報に基づいて、受け付けた前記撮像画像情報に前記撮像対象物が撮像されているか否かを判断する撮像対象物判断手段と、
前記撮像対象物判断手段によって、受け付けた前記撮像画像情報に前記撮像対象物が撮像されていると判断した場合には前記課題画像情報とともに記憶される前記課題画像撮像エリア情報を前記課題画像情報記憶手段から取得する課題画像撮像エリア情報取得手段と、
前記課題画像撮像エリア情報取得手段が取得した前記課題画像撮像エリア情報が示す撮像場所のエリアに受け付けた撮像場所情報が含まれるか否かを判断する撮像場所判断手段とを有し、
前記撮像場所判断手段によって、前記課題画像撮像エリア情報が示す撮像場所のエリアに受け付けた前記撮像場所情報が含まれると判断した場合には課題達成を示す結果情報を、前記課題画像撮像エリア情報が示す撮像場所のエリアに受け付けた撮像撮像場所情報が含まれないと判断した場合には撮像場所違いを示す結果情報を、さらに前記撮像対象物判断手段によって、受け付けた前記撮像画像情報に前記撮像対象物が撮像されていないと判断した場合には撮像対象物違いを示す結果情報を前記情報出力手段に出力することを特徴とするイベント提供システム。
【請求項６】
イベント開始からの経過時間または前記利用者に許された制限時間を時間情報として計測する時間計測手段をさらに有し、
前記課題画像撮像エリア情報はあらかじめ定める時間ごとに段階的に縮小されるエリア情報であって、前記課題画像撮像エリア情報取得手段は前記時間計測手段が計測した時間情報に基づいて、段階的に縮小される前記課題画像撮像エリア情報のうちのひとつを取得し、
前記撮像場所判断手段によって、前記課題画像撮像エリア情報が示す撮像場所のエリアに受け付けた撮像撮像場所情報が含まれないと判断した場合には撮像場所違いを示すとともにイベント非継続を示す結果情報を前記情報出力手段に出力して、イベントを終了することを特徴とする請求項３または５に記載のイベント提供システム。
【請求項７】
イベント開始からの経過時間または前記利用者に許された制限時間を時間情報として計測する時間計測手段と、
前記利用者の現在場所を示す現在場所情報の更新を受け付けると、前記時間計測手段で計測された前記時間情報を取得する時間情報取得手段とをさらに有し、
前記課題画像撮像エリア情報はあらかじめ定める時間ごとに段階的に縮小されるエリア情報であって、前記課題画像撮像エリア情報取得手段は前記時間情報取得手段が取得した時間情報に基づいて、段階的に縮小される前記課題画像撮像エリア情報のうちのひとつを取得し、
前記課題画像撮像エリア情報取得手段が取得した前記課題画像撮像エリア情報が示す撮像場所のエリアに、受け付けた前記現在場所情報が含まれない場合にはイベント非継続を示す結果情報を前記情報出力手段に出力して、イベントを終了することを特徴とする請求項３または５に記載のイベント提供システム。
【請求項８】
イベント開始からの経過時間または前記利用者に許された制限時間を時間情報として計測する時間計測手段と、
前記時間計測手段が計測した前記時間情報に応じて、前記利用者の現在場所を示す現在場所情報を取得する現在場所情報取得手段とをさらに有し、
前記課題画像撮像エリア情報はあらかじめ定める時間ごとに段階的に縮小されるエリア情報であって、前記現在場所情報取得手段が前記現場所情報を取得すると、前記課題画像撮像エリア情報取得手段は前記時間情報計測手段が計測した時間情報に基づいて、段階的に縮小される前記課題画像撮像エリア情報のうちのひとつを取得し、
前記課題画像撮像エリア情報取得手段が取得した前記課題画像撮像エリア情報が示す撮像場所のエリアに、前記現在場所情報取得手段が取得した前記現在場所情報が含まれない場合にはイベント非継続を示す結果情報を前記情報出力手段に出力して、イベントを終了することを特徴とする請求項３または５に記載のイベント提供システム。
【請求項９】
撮像対象物をあらかじめ撮像した撮像画像情報を利用者に課題画像情報として与え、該課題画像情報と同じ構図での前記撮像対象物の撮像を課題とするイベントを提供するイベント提供システムを用いたイベント提供方法であって、
前記課題画像情報を課題画像情報記憶手段に記憶し、
前記利用者に対して与えた前記課題画像情報と同じ構図で前記撮像対象物の撮像を前記利用者に求めるイベントルール情報をイベントルール情報記憶手段に記憶し、
イベント開始要求を受け付けると、受け付けたイベント開始要求に基づいて前記イベントルール情報記憶手段から前記イベントルール情報を取得し、
取得した前記イベントルール情報に基づいて前記課題画像情報記憶手段から課題となる前記課題画像情報を取得し、
取得した前記課題画像情報を前記イベントルール情報とともに情報出力手段に出力することを特徴とするイベント提供方法。
【請求項１０】
前記課題に対応する撮像画像情報を受け付けると、受け付けた撮像画像情報と課題である前記課題画像情報とが一致するか否かを示す適合度合を画像適合度合判断手段によって判断し、
前記画像適合度合判断手段が判断した前記適合度合に基づいて前記課題の達成／未達成を課題達成／未達成判断手段によって判断し、
前記課題達成／未達成判断手段が判断した前記課題の達成／未達成を前記情報出力手段に出力することを特徴とする請求項９に記載のイベント提供方法。
【請求項１１】
前記課題画像情報記憶手段は、前記課題画像情報を前記課題画像情報が撮像された撮像場所を含んだあらかじめ定めるエリアを示す課題画像撮像エリア情報とともに記憶し、
前記撮像対象物の形状的特徴情報を撮像対象物特徴情報記憶手段に記憶し、
前記課題に対応する撮像画像情報を該撮像画像情報が撮像された場所を示す撮像場所情報とともに受け付けると、受け付けた撮像画像情報に対応する前記課題画像情報に撮像されている前記撮像対象物の形状的特徴情報を前記撮像対象物特徴情報記憶手段から取得し、
取得した前記撮像対象物の形状的特徴情報に基づいて、受け付けた前記撮像画像情報に前記撮像対象物が撮像されているか否かを撮像対象物判断手段によって判断し、
前記撮像対象物判断手段によって、受け付けた前記撮像画像情報に前記撮像対象物が撮像されていると判断した場合には前記課題画像情報とともに記憶される前記課題画像撮像エリア情報を前記課題画像情報記憶手段から取得し、
取得した前記課題画像撮像エリア情報が示す撮像場所のエリアに受け付けた撮像場所情報が含まれるか否かを撮像場所判断手段によって判断し、
前記撮像場所判断手段によって、前記課題画像撮像エリア情報が示す撮像場所のエリアに受け付けた前記撮像場所情報が含まれると判断した場合には課題達成を示す結果情報を、前記課題画像撮像エリア情報が示す撮像場所のエリアに受け付けた撮像撮像場所情報が含まれないと判断した場合には撮像場所違いを示す結果情報を、さらに前記撮像対象物判断手段によって、受け付けた前記撮像画像情報に前記撮像対象物が撮像されていないと判断した場合には撮像対象物違いを示す結果情報を前記情報出力手段に出力することを特徴とする請求項９に記載のイベント提供方法。
【請求項１２】
前記イベントルール情報記憶手段は、前記利用者に対して与えた前記課題画像情報と同じ構図で前記撮像対象物の撮像を前記利用者に求めるイベントルール情報を、該イベントルール情報に対応した前記判断者向け判断基準情報とともに記憶し、
前記課題に対応する撮像画像情報を受け付けると、前記情報出力手段に出力した前記イベントルール情報に対応する前記判断基準情報を前記イベントルール情報記憶手段から取得する判断基準情報取得手段と、
前記判断基準情報取得手段が取得した前記判断基準情報とともに、受け付けた撮像画像情報と課題である前記課題画像情報とを前記判断者端末に送信する情報送信手段と、
前記情報送信手段が送信した前記判断基準情報に基づいた判断結果情報を前記判断者端末から受信すると、受信した判断結果情報に基づいて前記課題の達成／未達成を判断する課題達成／未達成判断手段とを有し、
前記課題達成／未達成判断手段が判断した前記課題の達成／未達成を前記情報出力手段に出力することを特徴とする請求項９に記載のイベント提供システム。
【請求項１３】
前記課題画像情報記憶手段は、前記課題画像情報が撮像された撮像場所を含んだあらかじめ定めるエリアを示す課題画像撮像エリア情報とともに前記課題画像情報を記憶し、
前記撮像画像情報のうち、前記撮像対象物の形状や外観など見た目の特徴がよくわかる前記撮像画像情報をサンプル画像情報としてサンプル画像情報記憶手段に記憶し、
前記イベントルール情報記憶手段は、前記利用者に対して与えた前記課題画像情報と同じ構図で前記撮像対象物の撮像を前記利用者に求めるイベントルール情報を、該イベントルール情報に対応した前記判断者向け判断基準情報とともに記憶し、
前記情報出力手段に出力した前記課題画像情報に対応する撮像画像情報を該撮像画像情報が撮像された場所を示す撮像場所情報とともに受け付けると、前記情報出力手段に出力した前記イベントルール情報に対応する前記判断基準情報を前記イベントルール情報記憶手段から取得する判断基準情報取得手段と、
受け付けた前記撮像画像情報に対応する前記課題画像情報に撮像されている前記撮像対象物の前記サンプル画像情報を前記サンプル画像情報記憶手段から取得するサンプル画像情報取得手段と、
前記判断基準情報取得手段が取得した前記判断基準情報と前記サンプル画像情報取得手段が取得した前記サンプル画像情報とともに、受け付けた撮像画像情報を前記判断者端末に送信する情報送信手段と、
前記情報送信手段が送信した前記判断基準情報に基づいた判断結果情報を前記判断者端末から受信すると、受信した判断結果情報に基づいて、受け付けた前記撮像画像情報に前記撮像対象物が撮像されているか否かを判断する撮像対象物判断手段と、
前記撮像対象物判断手段によって、受け付けた前記撮像画像情報に前記撮像対象物が撮像されていると判断した場合には前記課題画像情報とともに記憶される前記課題画像撮像エリア情報を前記課題画像情報記憶手段から取得する課題画像撮像エリア情報取得手段と、
前記課題画像撮像エリア情報取得手段が取得した前記課題画像撮像エリア情報が示す撮像場所のエリアに受け付けた撮像場所情報が含まれるか否かを判断する撮像場所判断手段とを有し、
前記撮像場所判断手段によって、前記課題画像撮像エリア情報が示す撮像場所のエリアに受け付けた前記撮像場所情報が含まれると判断した場合には課題達成を示す結果情報を、前記課題画像撮像エリア情報が示す撮像場所のエリアに受け付けた撮像撮像場所情報が含まれないと判断した場合には撮像場所違いを示す結果情報を、さらに前記撮像対象物判断手段によって、受け付けた前記撮像画像情報に前記撮像対象物が撮像されていないと判断した場合には撮像対象物違いを示す結果情報を前記情報出力手段に出力することを特徴とする請求項９に記載のイベント提供方法。
【請求項１４】
イベント開始からの経過時間または前記利用者に許された制限時間を時間情報として時間計測手段によって計測し、
前記課題画像撮像エリア情報はあらかじめ定める時間ごとに段階的に縮小されるエリア情報であって、前記時間計測手段が計測した時間情報に基づいて、段階的に縮小される前記課題画像撮像エリア情報のうちのひとつを取得し、
前記撮像場所判断手段によって、前記課題画像撮像エリア情報が示す撮像場所のエリアに受け付けた撮像撮像場所情報が含まれないと判断した場合には撮像場所違いを示すとともにイベント非継続を示す結果情報を前記情報出力手段に出力して、イベントを終了することを特徴とする請求項１１または１３に記載のイベント提供方法。
【請求項１５】
イベント開始からの経過時間または前記利用者に許された制限時間を時間情報として時間計測手段によって計測し、
前記利用者の現在場所を示す現在場所情報の更新を受け付けると、前記時間計測手段から前記経過時間または前記制限時間を時間情報として取得し、
前記課題画像撮像エリア情報はあらかじめ定める時間ごとに段階的に縮小されるエリア情報であって、取得した時間情報に基づいて段階的に縮小される前記課題画像撮像エリア情報のうちのひとつを取得し、
取得した前記課題画像撮像エリア情報が示す撮像場所のエリアに、受け付けた前記現在場所情報が含まれない場合にはイベント非継続を示す結果情報を前記情報出力手段に出力して、イベントを終了することを特徴とする請求項１１または１３に記載のイベント提供方法。
【請求項１６】
イベント開始からの経過時間または前記利用者に許された制限時間を時間情報として時間計測手段によって計測し、
前記時間計測手段が計測した前記時間情報に応じて、前記利用者の現在場所を示す現在場所情報を現在場所情報取得手段によって取得し、
前記課題画像撮像エリア情報はあらかじめ定める時間ごとに段階的に縮小されるエリア情報であって、前記現在場所情報取得手段が前記現場所情報を取得すると、前記時間情報計測手段が計測した時間情報に基づいて、段階的に縮小される前記課題画像撮像エリア情報のうちのひとつを取得し、
取得した前記課題画像撮像エリア情報が示す撮像場所のエリアに、前記現在場所情報取得手段が取得した前記現在場所情報が含まれない場合にはイベント非継続を示す結果情報を前記情報出力手段に出力して、イベントを終了することを特徴とする請求項１１または１３に記載のイベント提供方法。
【発明の詳細な説明】
【０００１】
【発明の属する技術分野】
本発明は、イベント、特に利用者の持つ利用者端末を介して利用者に画像を与え、与えた同じ構図の画像の撮像を利用者に指示するイベントを利用者に提供するイベント提供システム及び方法に関する。
【０００２】
【従来の技術】
利用者端末の撮像機能で撮像した画像情報を用いてサービスを提供する先行技術として特開２００３−１２２７５７号公報が挙げられる。この先行技術は、利用者端末で撮像した何らかの製品の画像情報をサーバに送信すると、サーバにて画像情報を画像解析し、解析結果である特徴量情報を算出し、算出した特徴量情報を検索条件として製品データベースを検索し、目的とする製品の詳細情報をその製品の取扱い店舗の所在地を含む地図情報とともに利用者端末に返信するものである。
【０００３】
【特許文献１】
特開２００３―１２２７５７号公報
【０００４】
【発明が解決しようとする課題】
通信インフラの発達に携帯電話などの利用者端末の急速な普及に伴って、今や利用者端末は我々の生活に欠かせない道具になっており、様々な付帯機能を持つ利用者端末も市場に登場している。これらの付帯機能の代表例が撮像機能（いわゆるカメラ）であり、利用者は撮像機能を用いて目の前にある物や風景を撮像し、利用者端末に元々備わる通信機能を用いて撮像した画像情報を他の機器に送信している。
【０００５】
ただし、その用途はメール（文字情報）に添える画像情報であったり、その用途は限られているのが現状である。別の言い方をすれば、便利な機能が活かしきれていないのが問題点であった。このような付帯機能を持つ利用者端末を使った新たなサービスが模索されてはいるが、どのサービスも似たり寄ったりの域を出ておらず、その努力の割りに目新しいサービスが提供できていなかった。
【０００６】
【課題を解決するための手段】
本発明の本質は、利用者が有する利用者端末の情報出力部に課題画像情報と（課題画像情報と同じ構図の画像を撮像することをイベントの課題として利用者に求める）イベントのルール情報を出力し、ルール情報に応じた利用者が利用者端末に備わる撮像機能を用いて撮像画像情報を撮像すると、イベント提供システムは利用者に与えた課題画像情報と撮像された撮像画像情報とが同じ構図で撮像されているか判断し、その判断結果に基づいてイベントの達成／未達成を決めることである。
【０００７】
イベント提供システムが利用者に課題として与える課題画像情報は、利用者にとってあたかも一枚の写真のように余分な説明が一切無いシンプルな情報である。説明が多ければ多いほど利用者にとって一見、親切なようにも思えるが、利用者側からすると他人から指示されて行動を促されていることになり、説明の多さはやる気（モチベーション）を削がれる結果となりかねない。
【０００８】
なお、一枚の写真のように利用者に与えられた課題画像情報は情報量が少ないというわけではない。課題画像情報をよく見てみると撮像対象物以外にも何かが写っていて、その何かとは撮像対象物の手前側にある風景であったり、逆に撮像対象物の向こう側（背景）にある風景であったりする。余分な説明が一切無いシンプルな情報を与えられると利用者は本来、人として持つ好奇心をくすぐられ、結果として利用者は自由な推測や想像をめぐらすことが出来る。そして、利用者が撮像対象物を含めた実風景を眺め、課題画像情報と見比べ、撮像対象物の周りをめぐるうちに、課題画像情報に撮像された特徴に気付く。利用者がこれらの特徴に気付けば気付くだけ情報量が増えていくことになり、この気付く面白さによって利用者のさらなる好奇心がくすぐられ、知的探究心が満たされていく効果が期待できるので、利用者は多くの満足感を得られる。
【０００９】
このイベント提供システムが提供するイベントがなければ、利用者はこれほど撮像対象物を眺めなかったかもしれない。利用者は利用者端末に出力された課題画像情報と目の前の風景（実際の風景。実風景）とを交互に眺めながら撮像対象物の周辺を移動することになり、当然のことながら利用者の移動速度は例えばどこかの目的地に向かって移動するときなどに比べて遅くなる。実風景を眺めながら移動速度が日常の移動速度に対して比較的遅いということは、利用者が認識することが出来る情報量の増加を意味する。これは普段、電車やバス、自動車、自転車などで毎日通る道でも、散歩してみると普段気付かなかったことに気付いたり、普段気付かなかった風景に出会えたりすることと同じようなものである。
【００１０】
つまり、本発明におけるイベント提供システムが提供するイベントでは、与えられた課題画像情報と同じ構図に見える場所を探す楽しみを利用者に提供するだけでなく、その探す過程で撮像対象物の周辺を何度も眺めることによってそれぞれの利用者が（このイベントがなければ）見落としていた何かに気付く「きっかけ」を与えることが出来る。偶然ではあっても、その偶然さゆえに利用者ごとに気付く何かが異なったとしても、偶然ながら気付く喜び（発見の喜び）は利用者に多くの満足感を与える結果となる。このような満足感はイベント提供システムにとっては提供するイベントによって二次的に発生するサービス（付加価値）に過ぎないが、ここでは利用者にきっかけだけを与え、強要しないことが大切なことであり、利用者に対してサービスの押し付けにならず、（利用者に満足感を与える）真のサービスとなる。よって、本発明におけるイベント提供システムが提供するイベントではこのような相乗効果が期待できるので、観光地だけでなく、その土地や場所に愛着を持ってもらいたいと願う町おこしや村おこし、消費者に足を運んでもらいたいと願う商店街復興を企画する主催者たちにとって有効なツールとなり得る。
【００１１】
本発明は、撮像対象物をあらかじめ撮像した撮像画像情報を利用者に課題画像情報として与え、該課題画像情報と同じ構図での前記撮像対象物の撮像を課題とするイベントを提供するために、前記課題画像情報を記憶する課題画像情報記憶手段と、前記利用者に対して与えた前記課題画像情報と同じ構図で前記撮像対象物の撮像を前記利用者に求めるイベントルール情報を記憶するイベントルール情報記憶手段と、イベント開始要求を受け付けると、受け付けたイベント開始要求に基づいて前記イベントルール情報記憶手段から前記イベントルール情報を取得するイベントルール情報取得手段と、前記イベントルール情報取得手段が取得した前記イベントルール情報に基づいて前記課題画像情報記憶手段から課題となる前記課題画像情報を取得する課題画像情報取得手段と、前記課題画像情報取得手段が取得した前記課題画像情報を、前記イベントルール情報取得手段が取得した前記イベントルール情報とともに情報出力手段に出力するようにした。
【００１２】
また、撮像対象物をあらかじめ撮像した撮像画像情報を利用者に課題画像情報として与え、該課題画像情報と同じ構図での前記撮像対象物の撮像を課題とするイベントを提供するために、前記課題画像情報を記憶する課題画像情報記憶手段と、前記利用者に対して与えた前記課題画像情報と同じ構図で前記撮像対象物の撮像を前記利用者に求めるイベントルール情報を記憶するイベントルール情報記憶手段と、イベント開始要求を受け付けると、受け付けたイベント開始要求に基づいて前記イベントルール情報記憶手段から前記イベントルール情報を取得するイベントルール情報取得手段と、前記イベントルール情報取得手段が取得した前記イベントルール情報に基づいて前記課題画像情報記憶手段から課題となる前記課題画像情報を取得する課題画像情報取得手段と、前記課題画像情報取得手段が取得した前記課題画像情報を、前記イベントルール情報取得手段が取得した前記イベントルール情報とともに出力する情報出力手段と、前記課題に対応する撮像画像情報を受け付けると、受け付けた撮像画像情報と課題である前記課題画像情報とが一致するか否かを示す適合度合を判断する画像適合度合判断手段と、前記画像適合度合判断手段が判断した前記適合度合に基づいて前記課題の達成／未達成を判断する課題達成／未達成判断手段とを有し、前記課題達成／未達成判断手段が判断した前記課題の達成／未達成を前記情報出力手段に出力するようにしてもよい。
【００１３】
撮像画像情報を受け付けたイベント提供システムは、受け付けた撮像画像情報が利用者に与えた課題画像情報と同じ構図であるか否かを判断する画像判断処理を実行し、この画像判断処理による撮像画像情報と課題画像情報との構図的特徴量の適合度合によってイベントの課題が達成されたか否かを判断する。なお、ここで言うところの「課題に対応する撮像画像情報を受け付ける」とは、「情報出力手段に出力した課題画像情報に対応する撮像画像情報を受け付ける」と同意であり、技術的には例えば課題画像情報に付与した画像コードを撮像画像情報に付与すれば容易にひも付けできる（その対応関係を把握できる）が、受け付けた撮像画像情報がどの課題に対応したものかがイベント提供システムとして判断できればその手段は特に問わない。
【００１４】
また、撮像対象物をあらかじめ撮像した撮像画像情報を利用者に課題画像情報として与え、該課題画像情報と同じ構図での前記撮像対象物の撮像を課題とするイベントを提供するために、前記課題画像情報が撮像された撮像場所を含んだあらかじめ定めるエリアを示す課題画像撮像エリア情報とともに前記課題画像情報を記憶する課題画像情報記憶手段と、前記撮像対象物の形状的特徴情報を記憶する撮像対象物特徴情報記憶手段と、前記利用者に対して与えた前記課題画像情報と同じ構図で前記撮像対象物の撮像を前記利用者に求めるイベントルール情報を記憶するイベントルール情報記憶手段と、イベント開始要求を受け付けると、受け付けたイベント開始要求に基づいて前記イベントルール情報記憶手段から前記イベントルール情報を取得するイベントルール情報取得手段と、前記イベントルール情報取得手段が取得した前記イベントルール情報に基づいて前記課題画像情報記憶手段から課題となる前記課題画像情報を取得する課題画像情報取得手段と、前記課題画像情報取得手段が取得した前記課題画像情報を、前記イベントルール情報取得手段が取得した前記イベントルール情報とともに出力する情報出力手段と、前記課題に対応する撮像画像情報を該撮像画像情報が撮像された場所を示す撮像場所情報とともに受け付けると、受け付けた撮像画像情報に対応する前記課題画像情報に撮像されている前記撮像対象物の形状的特徴情報を前記撮像対象物特徴情報記憶手段から取得する撮像対象物特徴情報取得手段と、前記撮像対象物特徴情報取得手段が取得した前記撮像対象物の形状的特徴情報に基づいて、受け付けた前記撮像画像情報に前記撮像対象物が撮像されているか否かを判断する撮像対象物判断手段と、前記撮像対象物判断手段によって、受け付けた前記撮像画像情報に前記撮像対象物が撮像されていると判断した場合には前記課題画像情報とともに記憶される前記課題画像撮像エリア情報を前記課題画像情報記憶手段から取得する課題画像撮像エリア情報取得手段と、前記課題画像撮像エリア情報取得手段が取得した前記課題画像撮像エリア情報が示す撮像場所のエリアに受け付けた撮像場所情報が含まれるか否かを判断する撮像場所判断手段とを有し、前記撮像場所判断手段によって、前記課題画像撮像エリア情報が示す撮像場所のエリアに受け付けた前記撮像場所情報が含まれると判断した場合には課題達成を示す結果情報を、前記課題画像撮像エリア情報が示す撮像場所のエリアに受け付けた撮像撮像場所情報が含まれないと判断した場合には撮像場所違いを示す結果情報を、さらに前記撮像対象物判断手段によって、受け付けた前記撮像画像情報に前記撮像対象物が撮像されていないと判断した場合には撮像対象物違いを示す結果情報を前記情報出力手段に出力するようにしてもよい。
【００１５】
撮像画像情報を（撮像画像情報を撮像した）撮像場所情報とともに受け付けたイベント提供システムは、利用者に撮像対象として指定した撮像対象物が受け付けた撮像画像情報に撮像されているか否かを判断する画像判断処理を実行し、撮像画像情報に撮像対象物が撮像されていると判断できれば、イベントの課題が達成されたか否かを撮像画像情報とともに受け付けた撮像場所情報によって判断する。課題達成されたか否かを撮像場所情報によって判断すれば、イベント提供システムおける画像処理の負担が大きく軽減される。なお、イベント提供システムにおけるこの処理は、利用者が撮像対象物に向かって同じ場所から撮像すれば実質的に同じ構図の撮像画像となる原理に基づくものである。
【００１６】
また、撮像対象物をあらかじめ撮像した撮像画像情報を利用者に課題画像情報として与え、該課題画像情報と同じ構図での前記撮像対象物の撮像を課題とするイベントを提供し、画像に関する判断に判断者を活用するために判断者の有する判断者端末との間で画像情報を送受信するように、前記課題画像情報を記憶する課題画像情報記憶手段と、前記利用者に対して与えた前記課題画像情報と同じ構図で前記撮像対象物の撮像を前記利用者に求めるイベントルール情報を、該イベントルール情報に対応した前記判断者向け判断基準情報とともに記憶するイベントルール情報記憶手段と、イベント開始要求を受け付けると、受け付けたイベント開始要求に基づいて前記イベントルール情報記憶手段から前記イベントルール情報を取得するイベントルール情報取得手段と、前記イベントルール情報取得手段が取得した前記イベントルール情報に基づいて前記課題画像情報記憶手段から課題となる前記課題画像情報を取得する課題画像情報取得手段と、前記課題画像情報取得手段が取得した前記課題画像情報を、前記イベントルール情報取得手段が取得した前記イベントルール情報とともに出力する情報出力手段と、前記課題に対応する撮像画像情報を受け付けると、前記情報出力手段に出力した前記イベントルール情報に対応する前記判断基準情報を前記イベントルール情報記憶手段から取得する判断基準情報取得手段と、前記判断基準情報取得手段が取得した前記判断基準情報とともに、受け付けた撮像画像情報と課題である前記課題画像情報とを前記判断者端末に送信する情報送信手段と、前記情報送信手段が送信した前記判断基準情報に基づいた判断結果情報を前記判断者端末から受信すると、受信した判断結果情報に基づいて前記課題の達成／未達成を判断する課題達成／未達成判断手段とを有し、前記課題達成／未達成判断手段が判断した前記課題の達成／未達成を前記情報出力手段に出力するようにしてもよい。
【００１７】
イベント提供システムが撮像画像情報を受け付けると、受け付けた撮像画像情報を判断基準情報とともに判断者の持つ判断者端末に送信し、撮像画像情報に関する判断を判断者にさせる。利用者端末に送信済みの課題画像情報と、利用者端末２から受信した撮像画像情報とが同じ構図であるか否かを判断する撮像画像情報に関する判断処理は、人である判断者には見た目で判断できる比較的容易な判断行為であるので、イベント提供システムに負担をかけて自動的に処理をするよりも、判断行為として比較的容易である人の力を借りられるような仕組みとしている。人にとっての判断行為として比較的容易とはつまり、人としての基本機能を用いれば誰であっても特に困難な判断処理ではないの意である。なお、ここで言うところの判断基準情報とは、判断者に課題画像情報と撮像画像情報とが同じ構図であるか否かを判断させるための判断基準となる情報のことであり、利用者端末に送信済みの課題画像情報と、利用者端末２から受信した撮像画像情報とが同じ構図であるか否かを判断者８に問う内容であればその表現は特に問わない。
【００１８】
また、撮像対象物をあらかじめ撮像した撮像画像情報を利用者に課題画像情報として与え、該課題画像情報と同じ構図での前記撮像対象物の撮像を課題とするイベントを提供し、画像に関する判断に判断者を活用するために判断者の有する判断者端末との間で画像情報を送受信するように、前記課題画像情報が撮像された撮像場所を含んだあらかじめ定めるエリアを示す課題画像撮像エリア情報とともに前記課題画像情報を記憶する課題画像情報記憶手段と、前記撮像画像情報のうち、前記撮像対象物の形状や外観など見た目の特徴がよくわかる前記撮像画像情報をサンプル画像情報として記憶するサンプル画像情報記憶手段と、前記利用者に対して与えた前記課題画像情報と同じ構図で前記撮像対象物の撮像を前記利用者に求めるイベントルール情報を、該イベントルール情報に対応した前記判断者向け判断基準情報とともに記憶するイベントルール情報記憶手段と、イベント開始要求を受け付けると、受け付けたイベント開始要求に基づいて前記イベントルール情報記憶手段から前記イベントルール情報を取得するイベントルール情報取得手段と、前記イベントルール情報取得手段が取得した前記イベントルール情報に基づいて前記課題画像情報記憶手段から課題となる前記課題画像情報を取得する課題画像情報取得手段と、前記課題画像情報取得手段が取得した前記課題画像情報を、前記イベントルール情報取得手段が取得した前記イベントルール情報とともに出力する情報出力手段と、前記課題に対応する撮像画像情報を該撮像画像情報が撮像された場所を示す撮像場所情報とともに受け付けると、前記情報出力手段に出力した前記イベントルール情報に対応する前記判断基準情報を前記イベントルール情報記憶手段から取得する判断基準情報取得手段と、受け付けた前記撮像画像情報に対応する前記課題画像情報に撮像されている前記撮像対象物の前記サンプル画像情報を前記サンプル画像情報記憶手段から取得するサンプル画像情報取得手段と、前記判断基準情報取得手段が取得した前記判断基準情報と前記サンプル画像情報取得手段が取得した前記サンプル画像情報とともに、受け付けた撮像画像情報を前記判断者端末に送信する情報送信手段と、前記情報送信手段が送信した前記判断基準情報に基づいた判断結果情報を前記判断者端末から受信すると、受信した判断結果情報に基づいて、受け付けた前記撮像画像情報に前記撮像対象物が撮像されているか否かを判断する撮像対象物判断手段と、前記撮像対象物判断手段によって、受け付けた前記撮像画像情報に前記撮像対象物が撮像されていると判断した場合には前記課題画像情報とともに記憶される前記課題画像撮像エリア情報を前記課題画像情報記憶手段から取得する課題画像撮像エリア情報取得手段と、前記課題画像撮像エリア情報取得手段が取得した前記課題画像撮像エリア情報が示す撮像場所のエリアに受け付けた撮像場所情報が含まれるか否かを判断する撮像場所判断手段とを有し、前記撮像場所判断手段によって、前記課題画像撮像エリア情報が示す撮像場所のエリアに受け付けた前記撮像場所情報が含まれると判断した場合には課題達成を示す結果情報を、前記課題画像撮像エリア情報が示す撮像場所のエリアに受け付けた撮像撮像場所情報が含まれないと判断した場合には撮像場所違いを示す結果情報を、さらに前記撮像対象物判断手段によって、受け付けた前記撮像画像情報に前記撮像対象物が撮像されていないと判断した場合には撮像対象物違いを示す結果情報を前記情報出力手段に出力するようにしてもよい。
【００１９】
同様に、イベント提供システムが撮像画像情報を受け付けると、受け付けた撮像画像情報を判断基準情報とともに判断者の持つ判断者端末に送信し、撮像画像情報に関する判断を判断者にさせる。利用者に撮像対象として指定した撮像対象物が利用者端末から受信した撮像画像情報に撮像されているか否かを判断する撮像画像情報に関する判断処理は、人である判断者には見た目で判断できる比較的容易な判断行為であるので、イベント提供システムに負担をかけて自動的に処理をするよりも、判断行為として比較的容易である人の力を借りられるような仕組みとしている。人にとっての判断行為として比較的容易とはつまり、人としての基本機能を用いれば誰であっても特に困難な判断処理ではないの意である。なお、ここで言うところの判断基準情報とは、判断者に、撮像対象として指定した撮像対象物が撮像画像情報に撮像されているか否かを判断させるための判断基準となる情報のことであり、利用者に撮像対象として指定した撮像対象物が利用者端末から受信した撮像画像情報に撮像されているか否かを判断者８に問う内容であればその表現は特に問わない。
【００２０】
また、イベント開始からの経過時間または前記利用者に許された制限時間を時間情報として計測する時間計測手段をさらに有し、前記課題画像撮像エリア情報はあらかじめ定める時間ごとに段階的に縮小されるエリア情報であって、前記課題画像撮像エリア情報取得手段は前記時間計測手段が計測した時間情報に基づいて、段階的に縮小される前記課題画像撮像エリア情報のうちのひとつを取得し、前記撮像場所判断手段によって、前記課題画像撮像エリア情報が示す撮像場所のエリアに受け付けた撮像撮像場所情報が含まれないと判断した場合には撮像場所違いを示すとともにイベント非継続を示す結果情報を前記情報出力手段に出力して、イベントを終了するようにしてもよい。
【００２１】
また、イベント開始からの経過時間または前記利用者に許された制限時間を時間情報として計測する時間計測手段と、前記利用者の現在場所を示す現在場所情報の更新を受け付けると、前記時間計測手段で計測された前記時間情報を取得する時間情報取得手段とをさらに有し、前記課題画像撮像エリア情報はあらかじめ定める時間ごとに段階的に縮小されるエリア情報であって、前記課題画像撮像エリア情報取得手段は前記時間情報取得手段が取得した時間情報に基づいて、段階的に縮小される前記課題画像撮像エリア情報のうちのひとつを取得し、前記課題画像撮像エリア情報取得手段が取得した前記課題画像撮像エリア情報が示す撮像場所のエリアに、受け付けた前記現在場所情報が含まれない場合にはイベント非継続を示す結果情報を前記情報出力手段に出力して、イベントを終了するようにしてもよい。
【００２２】
また、イベント開始からの経過時間または前記利用者に許された制限時間を時間情報として計測する時間計測手段と、前記時間計測手段が計測した前記時間情報に応じて、前記利用者の現在場所を示す現在場所情報を取得する現在場所情報取得手段とをさらに有し、前記課題画像撮像エリア情報はあらかじめ定める時間ごとに段階的に縮小されるエリア情報であって、前記現在場所情報取得手段が前記現場所情報を取得すると、前記課題画像撮像エリア情報取得手段は前記時間情報計測手段が計測した時間情報に基づいて、段階的に縮小される前記課題画像撮像エリア情報のうちのひとつを取得し、前記課題画像撮像エリア情報取得手段が取得した前記課題画像撮像エリア情報が示す撮像場所のエリアに、前記現在場所情報取得手段が取得した前記現在場所情報が含まれない場合にはイベント非継続を示す結果情報を前記情報出力手段に出力して、イベントを終了するにしてもよい。
【００２３】
イベント提供システムが提供するイベントにおいて、時間の経過とともに、または利用者に与えられた残りの制限時間に応じて、利用者に許される場所的な許容範囲（場所的許容エリア）を制限する。制限時間などの時間的制約だけでも利用者にイベントとしての緊迫感を与えることは出来る。ただし、課題画像情報と同じ構図で撮像対照物の撮像することをイベントとして提供する本発明におけるイベント提供システムでは、同じ構図で撮像できるか（つまり、イベントにおける課題を達成できるか）についてのカギを「どこから（どの場所）から撮像するか」が握っている。そこで、同じ構図が撮像できる場所を含む場所的許容エリアを利用者が費やしてしまった時間の経過に応じて徐々にしぼり込めば、本発明におけるイベント提供システムならではの緊迫感を利用者に与えることが出来る。このような緊迫感は、利用者にとってスリルと緊張感となり、利用者をより楽しませることが出来る。
【００２４】
【発明の実施の形態】
以下に、本発明に係るイベント提供システムの具体的実施の形態を図面を参照して詳細に説明する。
【００２５】
図１は、本発明の実施形態における撮像対象物と撮像対象物を撮像した課題画像情報の具体例を説明する説明図である。
【００２６】
同図において、図１（ａ）〜（ｄ）はそれぞれ異なる場所から同一の撮像対象物５（図例ではＪＲ京都駅の北側出口正面に建つ京都タワー）を撮像した撮像画像である。同じ撮像対象物５でもどこから眺めるかでその印象がずいぶんと変わることがよくわかる。本発明におけるイベント提供システムでは、図１（ａ）〜（ｄ）のように撮像対象物５をあらかじめ撮像した撮像画像情報を利用者１が有する利用者端末２の情報出力部２０−２に出力して、利用者端末２の撮像部２１を用いて同じ構図で撮像対象物５を撮像する利用者１の行為そのものをイベントとして利用者１に提供する。
【００２７】
イベント提供システムが利用者１に課題として与える課題画像情報は、利用者１にとってあたかも一枚の写真のように余分な説明が一切無いシンプルな情報である。説明が多ければ多いほど利用者１にとって一見、親切なようにも思えるが、利用者１側からすると他人から指示されて行動を促されていることになり、説明の多さはやる気（モチベーション）を削がれる結果となりかねない。
【００２８】
なお、一枚の写真のように利用者１に与えられた課題画像情報は情報量が少ないというわけではない。課題画像情報をよく見てみると撮像対象物５以外にも何かが写っていて、その何かとは撮像対象物５の手前側にある風景であったり、逆に撮像対象物５の向こう側（背景）にある風景であったりする。余分な説明が一切無いシンプルな情報を与えられると利用者１は本来、人として持つ好奇心をくすぐられ、結果として利用者１は自由な推測や想像をめぐらすことが出来る。そして、利用者１が撮像対象物５を含めた実風景を眺め、課題画像情報と見比べ、撮像対象物５の周りをめぐるうちに、課題画像情報に撮像された特徴に気付く。利用者１がこれらの特徴に気付けば気付くだけ情報量が増えていくことになり、この気付く面白さによって利用者１のさらなる好奇心がくすぐられ、知的探究心が満たされていく効果が期待できるので、利用者１は多くの満足感を得られる。
【００２９】
このイベント提供システムが提供するイベントがなければ、利用者１はこれほど撮像対象物５を眺めなかったかもしれない。利用者１は利用者端末２に出力された課題画像情報と目の前の風景（実際の風景。実風景）とを交互に眺めながら撮像対象物５の周辺を移動することになり、当然のことながら利用者１の移動速度は例えばどこかの目的地に向かって移動するときなどに比べて遅くなる。実風景を眺めながら移動速度が日常の移動速度に対して比較的遅いということは、利用者１が認識することが出来る情報量の増加を意味する。これは普段、電車やバス、自動車、自転車などで毎日通る道でも、散歩してみると普段気付かなかったことに気付いたり、普段気付かなかった風景に出会えたりすることと同じようなものである。
【００３０】
つまり、本発明におけるイベント提供システムが提供するイベントでは、与えられた課題画像情報と同じ構図に見える場所を探す楽しみを利用者１に提供するだけでなく、その探す過程で撮像対象物５の周辺を何度も眺めることによってそれぞれの利用者１が（このイベントがなければ）見落としていた何かに気付く「きっかけ」を与えることが出来る。偶然ではあっても、その偶然さゆえに利用者１ごとに気付く何かが異なったとしても、偶然ながら気付く喜び（発見の喜び）は利用者１に多くの満足感を与える結果となる。このような満足感はイベント提供システムにとっては提供するイベントによって二次的に発生するサービス（付加価値）に過ぎないが、ここでは利用者にきっかけだけを与え、強要しないことが大切なことであり、利用者１に対してサービスの押し付けにならず、（利用者１に満足感を与える）真のサービスとなる。よって、本発明におけるイベント提供システムが提供するイベントではこのような相乗効果が期待できるので、観光地だけでなく、その土地や場所に愛着を持ってもらいたいと願う町おこしや村おこし、消費者に足を運んでもらいたいと願う商店街復興を企画する主催者たちにとって有効なツールとなり得る。
【００３１】
図２は、図１に示す課題画像情報を撮像した撮像場所を説明する説明図である。
【００３２】
同図は、ＪＲ京都駅北口（七条口）側を中心とした地図である。同図において、Ａ〜Ｄで示されるのは、図１（ａ）〜（ｄ）のＡ地点〜Ｄ地点に対応する実際の場所である。図１（ａ）が撮像されたのは、左側の郵便局と右側の京都駅の駅ビルに挟まれた路地であり、イベント提供システムから与えられた課題画像情報と同じ構図で撮像対象物５を撮像するには、まず撮像対象物５をどの方向・方角から眺めるかを見極められるかに掛かっている。
【００３３】
図３は、本発明の実施形態におけるイベント提供システムのコンセプトを説明する説明図である。
【００３４】
同図において、イベント提供システムサーバ３は、利用者１からイベント開始要求を受け付けると、受け付けたイベント開始要求に基づいて、課題画像情報と（この課題画像情報に撮像されている撮像対象物５を）この課題画像情報と同じ構図で撮像することを利用者１に求めるルール情報をイベント情報ＤＢ（データベース）４から取得して、利用者端末２に送信する。ルール情報は、イベント提供システムサーバ３から都度送信しなくても、あらかじめ利用者端末２に送信しておいてもよい。利用者端末２を介してルール情報と課題画像情報とを受け取った利用者１は、課題画像情報と実風景の中における撮像対象物５を眺めながら、ルール情報に従って同じ構図になるような撮像場所を探す。利用者１が課題画像情報と同じ構図で撮像できると思った撮像場所で、利用者端末２に備わる撮像機能を用いて撮像対象物５を撮像し、利用者端末２は撮像した撮像画像情報をイベント提供システムサーバ３に送信する。利用者端末２から撮像画像情報を受信したイベント提供システムサーバ３は、利用者端末２に送信済みの課題画像情報と、利用者端末２から受信した撮像画像情報とが同じ構図であるか否かを判断する画像判断処理を実行する。
【００３５】
なお、図例ではイベント提供システムが利用者端末２とイベント提供システムサーバ３から構成されているが、必要な機能と必要な情報をすべて利用者端末２に備えればイベント提供システムサーバ３は不要となる。つまり、本発明におけるイベント提供システムでは、利用者１に同様のイベントが提供できれば利用者端末２だけでシステムが構成されても、利用者端末２とイベント提供システムサーバ３とで構成されても構わない。
【００３６】
図４は、本発明の実施形態における具体例を説明する説明図である。
【００３７】
同図において、利用者端末２の表示画面には、課題画像モードとして「この風景を撮ってサーバに返信せよ」と示されたルール情報と撮像対象物５である京都タワーを画像のほぼ中央に捉えた課題画像情報、および利用者端末２の撮像機能が機能する撮像モードに切り替わるアイコンが表示されている。ルール情報に示される「この風景」が課題画像情報に相当し、課題画像情報と同じ構図の画像を撮像してイベント提供システムサーバ３に送信することをイベントの課題として利用者１に求める内容である。この撮像画像情報は図１（ａ）であるが、利用者１は、実際に目の当たりにしている実風景を眺めながら、撮像画像情報と同じ構図になる場所を探す。図例では、撮像対象物５が立つ建造物（ビルディング）の並びや見え方がほぼ同じであることから、利用者１が今、立っている場所は、課題画像情報とほぼ同じアングル（撮像対象物５を見ている視点方向）であることがわかる。この場所から撮像対象物５に近づいても課題画像情報に撮像されている特徴的建造物が構図の中に入らないので、同じ構図にするためには利用者１が立っている場所と撮像対象物５とを一直線に結ぶ線に沿って、撮像対象物５から離れてみる必要がある。利用者１の周囲に対する注意が散漫になりやすいので、撮像場所を探す際には周囲に対して注意を促す指示を、例えば「交通ルールを守り、周りの歩行者や自動車および自転車などの通行車両に十分注意して下さい」などの記述で、ルール情報に含めてもよい。
【００３８】
図５は、本発明の実施形態における具体例を説明する説明図である。
【００３９】
同図は、図４に続く具体例を説明する説明図である。同図において、利用者端末２の表示画面には、撮像モードとして「この写真で良ければシャッタを押す」と示された説明情報と撮像機能が捉えた画像、および撮像機能が機能するアイコンが表示されている。撮像機能が機能するアイコンは、表示画面に表示された説明情報に「シャッタ」という表現で示されており、このアイコンに対応する（利用者端末が備える）情報入力部２０−１を利用者１が操作することによって、表示画面に表示された「撮像機能が捉えた画像」が撮像される。撮像機能によって撮像された撮像画像情報は、イベント提供システムサーバ３に送信される前に、一旦情報出力部２０−２に出力し、利用者１にこの撮像画像でいいのか否かを確認してから送信するとよい。
【００４０】
図６は、本発明の実施形態における具体例を説明する説明図である。
【００４１】
同図は、図４に示す課題画像モードと図５に示す撮像モードを同時に表示する場合の利用者端末２の表示画面を示す。同図において、利用者端末２の表示画面には、「（課題画像情報と）同じ風景を撮ってサーバに返信せよ」と示されたルール情報と撮像対象物５である京都タワーを画像のほぼ中央に捉えた課題画像情報と撮像機能が捉えた画像、および撮像機能が機能するアイコンが表示されている。利用者端末２の表示画面に課題画像情報と撮像機能が捉えた画像を並べて表示され、見比べることが出来るので、利用者１にとってより親切な機能と言える。
【００４２】
図７は、本発明の第２実施形態におけるイベント提供システムのコンセプトを説明する説明図である。
【００４３】
同図において、イベント提供システムサーバ３は、利用者１からイベント開始要求を受け付けると、受け付けたイベント開始要求に基づいて、課題画像情報と（この課題画像情報に撮像されている撮像対象物５を）この課題画像情報と同じ構図で撮像することを利用者１に求めるルール情報をイベント情報ＤＢ（データベース）４から取得して、利用者端末２に送信する。ルール情報は、イベント提供システムサーバ３から都度送信しなくても、あらかじめ利用者端末２に送信しておいてもよい。利用者端末２を介してルール情報と課題画像情報とを受け取った利用者１は、課題画像情報と実風景の中における撮像対象物５を眺めながら、ルール情報に従って同じ構図になるような撮像場所を探す。利用者１が課題画像情報と同じ構図で撮像できると思った撮像場所で、利用者端末２に備わる撮像機能を用いて撮像対象物５を撮像し、利用者端末２は撮像した撮像画像情報を（撮像画像情報を撮像した）撮像場所情報とともにイベント提供システムサーバ３に送信する。
【００４４】
利用者端末２から撮像画像情報を（撮像画像情報を撮像した）撮像場所情報とともに受信したイベント提供システムサーバ３は、利用者１に撮像対象として指定した撮像対象物５が利用者端末２から受信した撮像画像情報に撮像されているか否かを判断する画像判断処理を実行し、撮像画像情報に撮像対象物５が撮像されていると判断できれば、イベントの課題が達成されたか否かを受信した撮像場所情報によって判断する。課題達成されたか否かを撮像場所情報によって判断すれば、イベント提供システムサーバ３における画像処理の負担が大きく軽減される。なお、イベント提供システムサーバ３におけるこの処理は、利用者１が撮像対象物５に向かって同じ場所から撮像すれば実質的に同じ構図の撮像画像となる原理に基づくものである。
【００４５】
また、利用者端末２は、撮像場所情報の元となる現在場所情報を、場所情報を出力する場所情報タグ６や地理上の絶対座標の元となる元情報を提供する位置情報提供システム７などから取得した情報に基づいて求めるとよい。位置情報提供システム７の具体例としては、ＧＰＳ（全地球測位システム）が挙げられる。電波を発する人工衛星が本発明における位置情報提供システム７に相当し、同様に人工衛星の発する電波を元情報として地球上の緯度経度を地理上の絶対座標として算出する。算出した緯度経度を地図情報に照らし合わせることによって、地図上の場所を判断することが出来る。なお、第１実施形態と同様に本発明におけるイベント提供システムでは、利用者１に同様のイベントが提供できれば利用者端末２だけでシステムが構成されても、利用者端末２とイベント提供システムサーバ３とで構成されても構わない。
【００４６】
図８は、本発明の第３実施形態におけるイベント提供システムのコンセプトを説明する説明図である。
【００４７】
同図は、イベント提供システムサーバ３が利用者端末２から撮像画像情報を受信すると、受信した撮像画像情報を判断基準情報とともに判断者８の持つ判断者端末９に送信し、撮像画像情報に関する判断を判断者８にさせることである。撮像画像情報に関する、第１実施形態または第２実施形態における判断も、判断者端末９を介して判断者８に判断させれば、イベント提供システムサーバ３における画像処理の負担が大きく軽減される。つまり、第１実施形態における撮像画像情報に関する判断（利用者端末２に送信済みの課題画像情報と、利用者端末２から受信した撮像画像情報とが同じ構図であるか否かを判断すること）や、第２実施形態における撮像画像情報に関する判断（利用者１に撮像対象として指定した撮像対象物５が利用者端末２から受信した撮像画像情報に撮像されているか否かを判断すること）は、人である判断者８には見た目で判断できる比較的容易な判断行為であるので、イベント提供システムサーバ３に負担をかけて自動的に処理をするよりも、判断行為として比較的容易である人の力を借りられるような仕組みにしたことを特徴とする。人にとっての判断行為として比較的容易とはつまり、人としての基本機能を用いれば誰であっても特に困難な判断処理ではないの意である。ここで言うところの判断基準情報とは、判断者８に対する情報であり、判断者８が自らは何を判断すればよいのか（イベント提供システムから何の判断が求められているか）がわかる情報であれば、その表現は特に問わない。
【００４８】
イベント提供システムサーバ３は、判断者８にとって判断基準となる判断基準情報と、判断材料（判断対象）である画像情報を判断者端末９に送信し、判断者端末９から判断者８による判断結果を受信する。判断基準情報は、イベント提供システムサーバ３から都度送信しなくても、あらかじめ判断者端末９に送信しておいてもよい。なお、第３実施形態における本発明のイベント提供システムでは、利用者１に同様のイベントが提供できて、判断者８に画像に関する判断をさせることが出来れば利用者端末２と判断者端末９だけでシステムが構成されても、利用者端末２とイベント提供システムサーバ３および判断者端末９で構成されても構わない。
【００４９】
図９は、本発明の実施形態におけるイベント提供システムサーバのハードブロック図である。
【００５０】
同図において、サーバ操作者１０とはイベント提供システムサーバ３の操作者で、サーバの管理（運営、監視、維持などを含む）者のことである。情報入出力部１１とは、イベント提供システムサーバ３がサーバ操作者１０と種々のやりとりをするための入出力機能を持つ部位であり、大まかに情報入力部１１−１と情報出力部１１−２で構成される。情報入力部１１−１における入力装置としては、例えばキーボード、テンキー、マウス、バーコードリーダなどが該当し、サーバ操作者１０の入力がシステムに対して情報を伝達するものなら、その種類は問わない。また情報出力部１１−２における出力装置としては、例えばディスプレイ、プリンタなどが該当し、サーバ操作者１０に対してシステムから情報を伝達できるものなら、その種類は問わない。演算部１２とは、プログラムを実行することによって各機能を駆動、処理するための演算機能を持つ部位であり、一般にＣＰＵ（中央演算装置）で構成される。メモリ部１３とは、演算部１３が実行するプログラムの実行エリアの部位である。通信部１４とは、ネットワーク１５を介して種々の端末や外部システムとの通信を制御する部位である。ＤＢ管理部１６とは、様々なデータ構造とデータ実体を管理する機能を持つ部位である。
【００５１】
ＤＢ管理部１６に管理される処理プログラム１７とは、イベント提供システムサーバ３の利用目的を達成するために必要なプログラムのことであり、ＯＳ（オペレーティングシステム）もここに含まれる。同様にイベント情報ＤＢ４とは、利用者端末２に送信されるイベントを実行するための情報を記憶するデータベースのことである。同様に配信情報ＤＢ１８とは、イベント提供システムサーバ３が利用者端末２に送信した情報を送信結果として記憶するデータベースのことである。同様に受信情報ＤＢ１９とは、イベント提供システムサーバ３が利用者端末２または判断者端末９などの外部機器から受信した情報を記憶するデータベースのことである。
【００５２】
図１０は、本発明の実施形態における利用者端末のハードブロック図である。
【００５３】
同図において、情報入出力部２０とは、利用者端末２が利用者１と種々のやりとりをするための入出力機能を持つ部位であり、大まかに情報入力部２０−１と情報出力部２０−２で構成される。情報入力部２０−１における入力装置としては、例えばテンキーやカナキー、タッチスイッチ、音声入力などが該当し、利用者１の入力が利用者端末２に対して情報を伝達するものなら、その種類は問わない。また情報出力部２０−２における出力装置としては、例えばディスプレイ、音声出力装置などが該当し、利用者１に対して利用者端末２から情報を伝達できるものなら、その種類は問わない。撮像部２１とは、画像を撮像する部位であり、例えば撮像した画像を電子情報として取得するＣＣＤ（Ｃｈａｒｇｅ−ｃｏｕｐｌｅｄ  Ｄｅｖｉｃｅ）カメラなどが該当し、情報入力部２０−１を介した利用者１からの指示に応じてイベント提供システムサーバ３に送信する撮像画像情報を撮像できる機能を有するものであれば、その種類は問わない。位置情報／場所情報取得部２２とは、場所情報タグ６から場所情報を、位置情報提供システム７から地理上の絶対座標算出の元となる元情報を取得する部位である。演算部２３とは、利用者端末２がプログラムを実行することによって各機能を駆動、処理するための演算機能を持つ部位であり、一般にＣＰＵ（中央演算装置）で構成される。記憶部２４とは、利用者端末２の目的を達成するために必要なプログラムを記憶する記憶エリアと演算部２３が実行するプログラムの実行エリアの部位である。通信部２５とは、イベント提供システムサーバ１などと通信する場合にネットワーク１５を介して情報の送受信をする部位である。
【００５４】
図１１は、本発明の実施形態における判断者端末のハードブロック図である。
【００５５】
同図において、情報入出力部２６とは、判断者端末９が判断者８と種々のやりとりをするための入出力機能を持つ部位であり、大まかに情報入力部２６−１と情報出力部２６−２で構成される。情報入力部２６−１における入力装置としては、例えばキーボード、テンキー、マウス、バーコードリーダやカナキー、タッチスイッチ、音声入力などが該当し、判断者８の入力が判断者端末９に対して情報を伝達するものなら、その種類は問わない。また情報出力部２６−２における出力装置としては、例えばディスプレイ、音声出力装置、プリンタなどが該当し、判断者８に対して判断者端末９から情報を伝達できるものなら、その種類は問わない。演算部２７とは、判断者端末９がプログラムを実行することによって各機能を駆動、処理するための演算機能を持つ部位であり、一般にＣＰＵ（中央演算装置）で構成される。記憶部２８とは、判断者端末９の目的を達成するために必要なプログラムを記憶する記憶エリアと演算部２７が実行するプログラムの実行エリアの部位である。通信部２９とは、イベント提供システムサーバ３などと通信する場合にネットワーク１５を介して情報の送受信をする部位である。
【００５６】
（第１実施形態）
図１２〜図１６を用いて、本発明における第１実施形態を説明する。図３に示すコンセプトを説明する説明図に対応する第１実施形態の特徴は、イベント提供システムサーバ３が利用者端末２に課題画像情報と（課題画像情報と同じ構図の画像を撮像してイベント提供システムサーバ３に送信することをイベントの課題として利用者１に求める）イベントのルール情報を送信し、ルール情報に応じた利用者１が利用者端末２を用いて撮像した撮像画像情報を受信すると、利用者端末２に送信済みの課題画像情報と受信した撮像画像情報との画像的な適合度合からイベントの課題が達成されたか否かを判断することである。
【００５７】
図１２は、本発明の実施形態におけるイベント提供システムサーバの機能ブロック図である。
【００５８】
同図において、イベント提供システムサーバ３は、利用者端末２からイベント開始の要求を受け付ける機能と、受け付けたイベントの開始要求に基づいてイベントのルールを定めるルール情報をルール情報ＤＢ４−１から取得する機能と、取得したルール情報に基づいて課題となる課題画像情報を画像情報ＤＢ４−２から取得する機能と、ルール情報とともに取得した課題画像情報を利用者端末２に送信する機能とを有する。さらに、イベント提供システムサーバ３は、利用者端末２から（イベント提供システムサーバ３が利用者端末２に送信した）課題画像情報に対する撮像画像情報を受信する機能と、受信した撮像画像情報に対応する課題画像情報を画像情報ＤＢ４−２から取得する機能と、利用者端末２から受信した撮像画像情報と画像情報ＤＢ４−２から取得した課題画像情報の２つの画像情報に関する適合度合に基づいて課題達成を判断する機能と、判断結果情報に応じて課題達成／課題未達成を示す結果情報を利用者端末２に送信する機能とを有する。ここで言うところのルール情報とは（その表現に違いはあれ、図４の具体例を説明する説明図に示すような）課題画像情報と同じ画像を撮像してイベント提供システムサーバ３に送信することをイベントの課題として利用者１に求める内容である。なお、２つの画像情報に関する適合度合に基づいて課題達成を判断する機能では、それぞれの画像情報の構図としての特徴量を抽出し、抽出した特徴量どうしを重ね合わせる画像のパターンマッチング処理を用いるとよい。
【００５９】
図１３は、本発明の実施形態における利用者端末の機能ブロック図である。
【００６０】
同図において、利用者端末２は、イベント提供システムサーバ３からイベントのルールを定めるルール情報とともに課題となる課題画像情報を受信する機能と、受信したルール情報と課題画像情報を情報出力部２０−２に出力する機能とを有する。さらに、利用者端末２は、情報出力部２０−２に出力した情報に応じた利用者１が操作する情報入力部２０−１から撮像操作を受け付ける機能と、受け付けた撮像操作に基づいて撮像処理を実行する機能と、撮像した撮像画像情報を情報出力部２０−２に出力する機能とを有し、情報出力部２０−２に出力した撮像画像情報を確認した利用者１が操作する情報入力部２０−１からイベント提供システムサーバ３へ撮像画像情報の送信指示を受け付ける機能と、受け付けた撮像指示に基づいて撮像画像情報をイベント提供システムサーバ３に送信する機能とを有する。
【００６１】
図１４は、図１２に示す機能ブロック図に対応するイベント提供システムサーバの演算部におけるフローチャートである。
【００６２】
同図において、イベント提供システムサーバ３は、利用者端末２からイベント開始の要求を受け付けると（ＳＴ１４０１）、受け付けたイベントの開始要求に基づいてイベントのルールを定めるルール情報をルール情報ＤＢ４−１から取得し（ＳＴ１４０２）、取得したルール情報に基づいて課題となる課題画像情報を画像情報ＤＢ４−２から取得し（ＳＴ１４０３）、ルール情報とともに取得した課題画像情報を利用者端末２に送信し（ＳＴ１４０４）、利用者端末２への送信結果を配信情報ＤＢ１８に記憶する（ＳＴ１４０５）。さらに、イベント提供システムサーバ３は、利用者端末２から（イベント提供システムサーバ３が利用者端末２に送信した）課題画像情報に対する撮像画像情報を受信すると（ＳＴ１４０６）、利用者端末２から受信した撮像画像情報を受信情報ＤＢ１９に記憶し（ＳＴ１４０７）、受信した撮像画像情報に対応する課題画像情報を画像情報ＤＢ４−２から取得し（ＳＴ１４０８）、利用者端末２から受信した撮像画像情報と画像情報ＤＢ４−２から取得した課題画像情報の２つの画像情報に関する適合度合を算出し（ＳＴ１４０９）、算出した適合度合はあらかじめ定めた値以上あるか否かを判断して（ＳＴ１４１０）算出した適合度合があらかじめ定めた値以上ある場合には、課題達成と判断して対応する結果情報をイベント情報ＤＢ４から取得し（ＳＴ１４１１）、算出した適合度合があらかじめ定めた値に満たない場合には、課題未達成と判断して対応する結果情報をイベント情報ＤＢ４から取得し（ＳＴ１４１２）、取得した結果情報を用者端末２に送信し（ＳＴ１４１３）、利用者端末２への送信結果を配信情報ＤＢ１８に記憶して（ＳＴ１４１４）、処理を終了する。
【００６３】
図１５は、図１３に示す機能ブロック図に対応する利用者端末の演算部におけるフローチャートである。
【００６４】
同図において、利用者端末２は、イベント提供システムサーバ３からイベントのルールを定めるルール情報とともに課題となる課題画像情報を受信すると（ＳＴ１５０１）、受信したルール情報と課題画像情報を情報出力部２０−２に出力し（ＳＴ１５０２）、情報出力部２０−２に出力した情報に応じた利用者１が操作する情報入力部２０−１から撮像操作を受け付けると（ＳＴ１５０３）、受け付けた撮像操作に基づいて撮像処理を実行し（ＳＴ１５０４）、撮像した撮像画像情報を記憶部２４に記憶し（ＳＴ１５０５）、撮像した撮像画像情報を情報出力部２０−２に出力し（ＳＴ１５０６）、情報出力部２０−２に出力した撮像画像情報を確認した利用者１が操作する情報入力部２０−１からイベント提供システムサーバ３へ撮像画像情報の送信指示を受け付けたか否かを判断し（ＳＴ１５０７）、送信指示を受け付けた場合には、受け付けた送信指示に基づいて撮像画像情報を記憶部２４から取得し（ＳＴ１５０８）、取得した撮像画像情報をイベント提供システムサーバ３に送信して（ＳＴ１５０９）、処理を終了し、ＳＴ１５０７で送信指示を受け付けなかった場合には、情報入力部２０−１から取り直し操作を受け付けたかを判断し（ＳＴ１５０１０）、取り直し操作を受け付けた場合には、ＳＴ１５０３に戻り、取り直し操作を受け付けなかった場合には、ＳＴ１５０７に戻る。
【００６５】
図１６は、本発明の実施形態における利用者端末の演算部におけるフローチャートである。
【００６６】
同図において、利用者端末２は、イベント提供システムサーバ３から結果情報を受信すると（ＳＴ１６０１）、受信した結果情報を情報出力部２０−２に出力して（ＳＴ１６０２）、処理を終了する。
【００６７】
（第２実施形態）
図１７〜図２３を用いて、本発明における第２実施形態を説明する。図７に示すコンセプトを説明する説明図に対応する第２実施形態の特徴は、イベント提供システムサーバ３が利用者端末２から撮像画像情報とともに撮像画像情報を撮像した撮像場所情報を受信し、受信した撮像画像情報に撮像対象物５が含まれていれば、イベントの課題が達成されたか否かを受信した撮像場所情報によって判断することであり、第１実施形態と異なる点のみを以下説明する。課題達成されたか否かを撮像場所情報によって判断すれば、イベント提供システムサーバ３における画像処理の負担が大きく軽減される。つまり、イベント提供システムサーバ３におけるこの処理は、利用者１が撮像対象物５に向かって同じ場所から撮像すれば実質的に同じ構図の撮像画像となることに基づくものである。
【００６８】
図１７は、本発明の実施形態におけるイベント提供システムサーバの機能ブロック図である。
【００６９】
同図において、イベント提供システムサーバ３は、利用者端末２からイベント開始の要求を受け付ける機能と、受け付けたイベントの開始要求に基づいてイベントのルールを定めるルール情報をルール情報ＤＢ４−１から取得する機能と、取得したルール情報に基づいて課題となる課題画像情報を画像情報ＤＢ４−２から取得する機能と、ルール情報とともに取得した課題画像情報を利用者端末２に送信する機能とを有する。さらに、イベント提供システムサーバ３は、利用者端末２から（イベント提供システムサーバ３が利用者端末２に送信した）課題画像情報に対する撮像画像情報を撮像場所情報とともに受信する機能と、送信したルール情報に定める撮像対象物５の形状的特徴情報を画像情報ＤＢ４−２から取得する機能と、取得した形状的特徴情報に基づいて利用者端末２から受信した撮像画像情報に撮像対象物５が含まれるか否かを判断する機能と、利用者端末２に送信した課題画像情報にあらかじめ付与されている撮像エリア情報を画像情報ＤＢ４−２から取得する機能と、撮像画像情報とともに受信した撮像場所情報を取得して、利用者端末２から受信した撮像場所情報が画像情報ＤＢ４−２から取得した撮像エリア情報に含まれるか否かを判断する機能と、利用者１に撮像対象として指定した撮像対象物５が利用者端末２から受信した撮像画像情報に含まれるか否かの判断結果情報と、利用者端末２から受信した撮像場所情報が画像情報ＤＢ４−２から取得した撮像エリア情報に含まれるか否かの判断結果情報の２つの判断結果情報に基づいて課題達成を判断する機能と、課題達成の判断結果情報に応じて課題達成／課題未達成を利用者端末２に送信する機能とを有する。ここで言うところのルール情報は図１２で説明するルール情報と同様である。なお、利用者端末２から受信した撮像場所情報が画像情報ＤＢ４−２から取得した撮像エリア情報に含まれるか否かを判断する機能では、形状的特徴情報から得られた対象物形状の特徴量に基づいて、撮像画像情報から特徴量抽出をして抽出した特徴量について形状判定処理を用いるとよい。
【００７０】
図１８は、本発明の実施形態における利用者端末の機能ブロック図である。
【００７１】
同図において、利用者端末２は、イベント提供システムサーバ３からイベントのルールを定めるルール情報とともに課題となる課題画像情報を受信する機能と、受信したルール情報と課題画像情報を情報出力部２０−２に出力する機能とを有する。さらに、利用者端末２は、情報出力部２０−２に出力した情報に応じた利用者１が操作する情報入力部２０−１から撮像操作を受け付ける機能と、受け付けた撮像操作に基づいて撮像処理を実行する機能と、記憶部２４から現在場所情報を取得して、取得した現在場所情報を撮像場所情報として撮像画像情報に付与する機能と、撮像した撮像画像情報を情報出力部２０−２に出力する機能とを有し、情報出力部２０−２に出力した撮像画像情報を確認した利用者１が操作する情報入力部２０−１からイベント提供システムサーバ３へ撮像画像情報の送信指示を受け付ける機能と、受け付けた撮像指示に基づいて撮像画像情報を付与した撮像場所情報とともにイベント提供システムサーバ３に送信する機能とを有する。
【００７２】
図１９は、図１７に示す機能ブロック図に対応するイベント提供システムサーバの演算部におけるフローチャートである。
【００７３】
同図において、イベント提供システムサーバ３は、利用者端末２からイベント開始の要求を受け付けると（ＳＴ１９０１）、受け付けたイベントの開始要求に基づいてイベントのルールを定めるルール情報をルール情報ＤＢ４−１から取得し（ＳＴ１９０２）、取得したルール情報に基づいて課題となる課題画像情報を画像情報ＤＢ４−２から取得し（ＳＴ１９０３）、ルール情報とともに取得した課題画像情報を利用者端末２に送信し（ＳＴ１９０４）、利用者端末２への送信結果を配信情報ＤＢ１８に記憶する（ＳＴ１９０５）。さらに、イベント提供システムサーバ３は、利用者端末２から（イベント提供システムサーバ３が利用者端末２に送信した）課題画像情報に対する撮像画像情報を撮像場所情報とともに受信すると（ＳＴ１９０６）、利用者端末２から受信した撮像画像情報を撮像場所情報とともに受信情報ＤＢ１９に記憶し（ＳＴ１９０７）、送信したルール情報に定める撮像対象物５の形状的特徴情報を画像情報ＤＢ４−２から取得し（ＳＴ１９０８）、取得した経常的特徴情報に基づいて利用者端末２から受信した撮像画像情報に撮像対象物５が含まれるか否かを判断し（ＳＴ１９０９）、撮像画像情報に撮像対象物５が含まれていた場合には、利用者端末２に送信した課題画像情報にあらかじめ付与されている撮像エリア情報を画像情報ＤＢ４−２から取得し（ＳＴ１９１０）、撮像画像情報とともに利用者端末２から受信した撮像場所情報を受信情報ＤＢ１９から取得し、利用者端末２から受信した撮像場所情報が画像情報ＤＢ４−２から取得した撮像エリア情報に含まれるか否かを判断して（ＳＴ１９１１）、撮像場所情報が撮像エリア情報に含まれていた場合には、課題達成と判断して対応する結果情報をイベント情報ＤＢ４から取得し（ＳＴ１９１２）、撮像場所情報が撮像エリア情報に含まれていなかった場合には、撮像画像情報は撮像場所違いと判断して対応する結果情報をイベント情報ＤＢ４から取得し（ＳＴ１９１３）、ＳＴ１９０９で撮像画像情報に撮像対象物５が含まれていなかった場合には、撮像画像情報は対象物違いと判断して対応する結果情報をイベント情報ＤＢ４から取得し（ＳＴ１９１４）、取得した結果情報を用者端末２に送信し（ＳＴ１９１５）、利用者端末２への送信結果を配信情報ＤＢ１８に記憶して（ＳＴ１９１６）、処理を終了する。
【００７４】
図２０は、図１８に示す機能ブロック図に対応する利用者端末の演算部におけるフローチャートである。
【００７５】
同図において、利用者端末２は、イベント提供システムサーバ３からイベントのルールを定めるルール情報とともに課題となる課題画像情報を受信すると（ＳＴ２００１）、受信したルール情報と課題画像情報を情報出力部２０−２に出力し（ＳＴ２００２）、情報出力部２０−２に出力した情報に応じた利用者１が操作する情報入力部２０−１から撮像操作を受け付けると（ＳＴ２００３）、受け付けた撮像操作に基づいて撮像処理を実行し（ＳＴ２００４）、記憶部２４から現在場所情報を取得し（ＳＴ２００５）、取得した現在場所情報を撮像場所情報として撮像画像情報に付与し（ＳＴ２００６）、撮像場所情報を付与した撮像画像情報を記憶部２４に記憶し（ＳＴ２００７）、撮像した撮像画像情報を情報出力部２０−２に出力し（ＳＴ２００８）、情報出力部２０−２に出力した撮像画像情報を確認した利用者１が操作する情報入力部２０−１からイベント提供システムサーバ３へ撮像画像情報の送信指示を受け付けたか否かを判断し（ＳＴ２００９）、送信指示を受け付けた場合には、受け付けた送信指示に基づいて撮像場所情報が付与された撮像画像情報を記憶部２４から取得し（ＳＴ２０１０）、取得した撮像画像情報を付与された撮像場所情報とともにイベント提供システムサーバ３に送信して（ＳＴ２０１１）、処理を終了し、ＳＴ２００９で送信指示を受け付けなかった場合には、情報入力部２０−１から取り直し操作を受け付けたかを判断し（ＳＴ２０１２）、取り直し操作を受け付けた場合には、ＳＴ２００３に戻り、取り直し操作を受け付けなかった場合には、ＳＴ２００９に戻る。
【００７６】
図２１は、本発明の実施形態における利用者端末の機能ブロック図である。
【００７７】
同図において、利用者端末２の有する位置情報／場所情報取得部２２の機能は、位置情報提供システム７から地理上の絶対座標算出の元となる元情報を取得する機能、または場所情報を出力する場所情報タグ６から場所情報を取得する機能で構成されている。位置情報／場所情報取得部２２から利用者端末２の現在いる場所を示す場所情報を更新する機能は、位置情報／場所情報取得部２２から取得した元情報から地理上の絶対座標を算出する機能と、算出した絶対座標から地図上の場所を判断する機能と、地図上の場所の判断結果情報を利用者端末２が現在いる場所として記憶部２４に記憶する機能とで構成されてもよいし、位置情報／場所情報取得部２２から取得した場所情報を利用者端末２が現在いる場所として記憶部２４に記憶する機能とで構成されてもよいし、その両方で構成されてもよい。
【００７８】
図２２は、図２１に示す機能ブロック図に対応する利用者端末またはスタッフ端末の演算部におけるフローチャートである。
【００７９】
同図において、利用者端末２は、場所情報の更新要求を受け付けると（ＳＴ２２０１）、位置情報提供システム７から地理上の絶対座標算出の元となる元情報を取得し（ＳＴ２２０２）、取得した元情報から地理上の絶対座標を算出し（ＳＴ２２０３）、算出した絶対座標から地図上の場所を判断し（ＳＴ２２０４）、地図上の場所の判断結果情報を利用者端末２が現在いる場所として記憶部２４に記憶して（ＳＴ２２０５）、処理を終了する。
【００８０】
図２３は、図２１に示す機能ブロック図に対応する利用者端末またはスタッフ端末の演算部におけるフローチャートである。
【００８１】
同図において、利用者端末２は、場所情報の更新要求を受け付けると（ＳＴ２３０１）、場所情報を出力する最寄りの場所情報タグ６から場所情報を取得し（ＳＴ２３０２）、取得した場所情報を利用者端末２が現在いる場所として記憶部２４に記憶して（ＳＴ２３０３）、処理を終了する。
【００８２】
（第３実施形態）
図２４〜図３２を用いて、本発明における第３実施形態を説明する。図８に示すコンセプトを説明する説明図に対応する第３実施形態の特徴は、イベント提供システムサーバ３が利用者端末２から撮像画像情報を受信すると、受信した撮像画像情報を判断基準情報とともに判断者８の持つ判断者端末９に送信し、撮像画像情報に関する判断を判断者８にさせることであり、第１実施形態と異なる点のみを以下説明する。撮像画像情報に関する、第１実施形態または第２実施形態における判断も、判断者端末９を介して判断者８に判断させれば、イベント提供システムサーバ３における画像処理の負担が大きく軽減される。つまり、第１実施形態における撮像画像情報に関する判断（利用者端末２に送信済みの課題画像情報と、利用者端末２から受信した撮像画像情報とが同じ構図であるか否かを判断すること）や、第２実施形態における撮像画像情報に関する判断（利用者１に撮像対象として指定した撮像対象物５が利用者端末２から受信した撮像画像情報に撮像されているか否かを判断すること）は、人である判断者８には見た目で判断できる比較的容易な判断行為であるので、イベント提供システムサーバ３に負担をかけて自動的に処理をするよりも、判断行為として比較的容易である人の力を借りられるような仕組みにしたことを特徴とする。人にとっての判断行為として比較的容易とはつまり、人としての基本機能を用いれば誰であっても特に困難な判断処理ではないの意である。
【００８３】
図２４は、本発明の実施形態におけるイベント提供システムサーバの機能ブロック図である。
【００８４】
同図において、イベント提供システムサーバ３は、利用者端末２からイベント開始の要求を受け付ける機能と、受け付けたイベントの開始要求に基づいてイベントのルールを定めるルール情報をルール情報ＤＢ４−１から取得する機能と、取得したルール情報に基づいて課題となる課題画像情報を画像情報ＤＢ４−２から取得する機能と、ルール情報とともに取得した課題画像情報を利用者端末２に送信する機能とを有する。さらに、イベント提供システムサーバ３は、利用者端末２から（イベント提供システムサーバ３が利用者端末２に送信した）課題画像情報に対する撮像画像情報を受信する機能と、受信した撮像画像情報に対応する課題画像情報を画像情報ＤＢ４−２から取得する機能と、画像情報ＤＢ４−２から取得した課題画像情報とともに利用者端末２に送信したルール情報に対応する判断基準情報をルール情報ＤＢ４−１から取得し、取得した判断基準情報を利用者端末２から受信した撮像画像情報と画像情報ＤＢ４−２から取得した課題画像情報の２つの画像情報とともに判断者端末９に送信する機能と、判断者端末９から（利用者端末２に送信済みの課題画像情報と利用者端末２から受信した撮像画像情報とが同じ構図であるか否かに関する）判断結果情報を受信する機能と、受信した判断結果情報に応じて課題達成／課題未達成を利用者端末２に送信する機能とを有する。ここで言うところの判断基準情報とは、判断者８に、利用者端末２に送信済みの課題画像情報と利用者端末２から受信した撮像画像情報とが同じ構図であるか否かを判断させるための判断基準となる情報のことである。その具体例を図３１に示す。
【００８５】
図２５は、本発明の実施形態におけるイベント提供システムサーバの機能ブロック図である。
【００８６】
同図において、イベント提供システムサーバ３は、利用者端末２からイベント開始の要求を受け付ける機能と、受け付けたイベントの開始要求に基づいてイベントのルールを定めるルール情報をルール情報ＤＢ４−１から取得する機能と、取得したルール情報に基づいて課題となる課題画像情報を画像情報ＤＢ４−２から取得する機能と、ルール情報とともに取得した課題画像情報を利用者端末２に送信する機能とを有する。さらに、イベント提供システムサーバ３は、利用者端末２から（イベント提供システムサーバ３が利用者端末２に送信した）課題画像情報に対する撮像画像情報を撮像場所情報とともに受信する機能と、受信した撮像画像情報に対応する撮像対象物５を示し、判断者８にとって判断材料となるサンプル画像情報（撮像対象物５の特徴を判断者８に示す画像情報）を画像情報ＤＢ４−２から取得する機能と、取得したサンプル画像情報に対応する判断基準情報をルール情報ＤＢ４−１から取得し、取得した判断基準情報を利用者端末２から受信した撮像画像情報と画像情報ＤＢ４−２から取得したサンプル画像情報の２つの画像情報とともに判断者端末９に送信する機能と、判断者端末９から（利用者１に撮像対象として指定した撮像対象物５が利用者端末２から受信した撮像画像情報に撮像されているか否かに関する）判断結果情報を受信する機能と、受信した判断結果情報に応じて、利用者端末２に送信した課題画像情報にあらかじめ付与されている撮像エリア情報を画像情報ＤＢ４−２から取得する機能と、撮像画像情報とともに受信した撮像場所情報を取得して、利用者端末２から受信した撮像場所情報が画像情報ＤＢ４−２から取得した撮像エリア情報に含まれるか否かを判断する機能と、判断者端末９から受信した（利用者１に撮像対象として指定した撮像対象物５が利用者端末２から受信した撮像画像情報に撮像されているか否かに関する）判断結果情報と、利用者端末２から受信した撮像場所情報が画像情報ＤＢ４−２から取得した撮像エリア情報に含まれるか否かの判断結果情報の２つの判断結果情報に基づいて課題達成を判断する機能と、課題達成の判断結果情報に応じて課題達成／課題未達成を利用者端末２に送信する機能とを有する。ここで言うところの判断基準情報とは、判断者８に、利用者１に撮像対象として指定した撮像対象物５が利用者端末２から受信した撮像画像情報に撮像されているか否かを判断させるための判断基準となる情報（具体的にはサンプル画像情報）のことである。その具体例を図３２に示す。
【００８７】
図２６は、本発明の実施形態における判断者端末の機能ブロック図である。
【００８８】
同図において、判断者端末９は、イベント提供システムサーバ３から判断基準情報とともに画像情報を受信する機能と、受信した判断基準情報とともに画像情報を情報出力部２６−２に出力する機能と、情報出力部２６−２に出力した情報に応じた判断者８からの判断結果情報を情報入力部２６−１から受け付ける機能と、受け付けた判断結果情報をイベント提供システムサーバ３に送信する機能とを有する。イベント提供システムサーバ３から受信する判断基準情報と画像情報は、図２４および図２５に示す機能ブロック図の説明にそれぞれ対応する。
【００８９】
図２７は、図２４に示す機能ブロック図に対応するイベント提供システムサーバの演算部におけるフローチャートである。
【００９０】
同図において、イベント提供システムサーバ３は、利用者端末２からイベント開始の要求を受け付けると（ＳＴ２７０１）、受け付けたイベントの開始要求に基づいてイベントのルールを定めるルール情報をルール情報ＤＢ４−１から取得し（ＳＴ２７０２）、取得したルール情報に基づいて課題となる課題画像情報を画像情報ＤＢ４−２から取得し（ＳＴ２７０３）、ルール情報とともに取得した課題画像情報を利用者端末２に送信し（ＳＴ２７０４）、利用者端末２への送信結果を配信情報ＤＢ１８に記憶する（ＳＴ２７０５）。さらに、イベント提供システムサーバ３は、利用者端末２から（イベント提供システムサーバ３が利用者端末２に送信した）課題画像情報に対する撮像画像情報を受信すると（ＳＴ２７０６）、利用者端末２から受信した撮像画像情報を受信情報ＤＢ１９に記憶し（ＳＴ２７０７）、受信した撮像画像情報に対応する課題画像情報を画像情報ＤＢ４−２から取得し、取得した課題画像情報とともに利用者端末２に送信したルール情報に対応する判断基準情報をルール情報ＤＢ４−１から取得し（ＳＴ２７０８）、取得した判断基準情報を利用者端末２から受信した撮像画像情報と画像情報ＤＢ４−２から取得した課題画像情報の２つの画像情報とともに判断者端末９に送信し（ＳＴ２７０９）、判断者端末９から（利用者端末２に送信済みの課題画像情報と利用者端末２から受信した撮像画像情報とが同じ構図であるか否かに関する）判断結果情報を受信すると（ＳＴ２７１０）、判断者端末９から受信した判断結果情報を受信情報ＤＢ１９に記憶し（ＳＴ２７１１）、受信した判断結果情報に基づいて課題達成／課題未達成を示す結果情報をイベント情報ＤＢ４から取得し（ＳＴ２７１２）、取得した結果情報を用者端末２に送信し（ＳＴ２７１３）、利用者端末２への送信結果を配信情報ＤＢ１８に記憶して（ＳＴ２７１４）、処理を終了する。
【００９１】
なお、ＳＴ２７１２において、受信した判断結果情報に基づいて課題達成／課題未達成を示す結果情報をイベント情報ＤＢ４から取得するとは、判断者端末９から受信した判断結果情報が（利用者端末２に送信済みの課題画像情報と利用者端末２から受信した撮像画像情報とが）同じ構図であること（なお、判断者８の主観的判断において、ほぼ同じ構図であることを含んでもよい）を示していた場合には、課題達成を示す結果情報をイベント情報ＤＢ４から取得し、判断者端末９から受信した判断結果情報が（利用者端末２に送信済みの課題画像情報と利用者端末２から受信した撮像画像情報とが）同じ構図でないことを示していた場合には、課題未達成を示す結果情報をイベント情報ＤＢ４から取得する処理のことである。
【００９２】
図２８および図２９は、図２５に示す機能ブロック図に対応するイベント提供システムサーバの演算部におけるフローチャートである。
【００９３】
同図において、イベント提供システムサーバ３は、利用者端末２からイベント開始の要求を受け付けると（ＳＴ２８０１）、受け付けたイベントの開始要求に基づいてイベントのルールを定めるルール情報をルール情報ＤＢ４−１から取得し（ＳＴ２８０２）、取得したルール情報に基づいて課題となる課題画像情報を画像情報ＤＢ４−２から取得し（ＳＴ２８０３）、ルール情報とともに取得した課題画像情報を利用者端末２に送信し（ＳＴ２８０４）、利用者端末２への送信結果を配信情報ＤＢ１８に記憶する（ＳＴ２８０５）。さらに、イベント提供システムサーバ３は、利用者端末２から（イベント提供システムサーバ３が利用者端末２に送信した）課題画像情報に対する撮像画像情報を撮像場所情報とともに受信すると（ＳＴ２８０６）、利用者端末２から受信した撮像画像情報を撮像場所情報とともに受信情報ＤＢ１９に記憶し（ＳＴ２８０７）、受信した撮像画像情報に対応する撮像対象物５を示し、判断者８にとって判断材料となるサンプル画像情報（撮像対象物５の特徴を判断者８に示す画像情報）を画像情報ＤＢ４−２から取得し、取得したサンプル画像情報に対応する判断基準情報をルール情報ＤＢ４−１から取得し（ＳＴ２８０８）、取得した判断基準情報を利用者端末２から受信した撮像画像情報と画像情報ＤＢ４−２から取得したサンプル画像情報の２つの画像情報とともに判断者端末９に送信し（ＳＴ２８０９）、判断者端末９から（利用者１に撮像対象として指定した撮像対象物５が利用者端末２から受信した撮像画像情報に撮像されているか否かに関する）判断結果情報を受信すると（ＳＴ２８１０）、判断者端末９から受信した判断結果情報を受信情報ＤＢ１９に記憶し（ＳＴ２８１１）、受信した判断結果情報に基づいて、利用者端末２から受信した撮像画像情報に撮像対象物５が含まれるか否かを判断し（ＳＴ２９０１）、撮像画像情報に撮像対象物５が含まれていた場合には、利用者端末２に送信した課題画像情報にあらかじめ付与されている撮像エリア情報を画像情報ＤＢ４−２から取得し（ＳＴ２９０２）、撮像画像情報とともに利用者端末２から受信した撮像場所情報を受信情報ＤＢ１９から取得し、利用者端末２から受信した撮像場所情報が画像情報ＤＢ４−２から取得した撮像エリア情報に含まれるか否かを判断して（ＳＴ２９０３）、撮像場所情報が撮像エリア情報に含まれていた場合には、課題達成と判断して対応する結果情報をイベント情報ＤＢ４から取得し（ＳＴ２９０４）、撮像場所情報が撮像エリア情報に含まれていなかった場合には、撮像画像情報は撮像場所違いと判断して対応する結果情報をイベント情報ＤＢ４から取得し（ＳＴ２９０５）、ＳＴ２９０１で撮像画像情報に撮像対象物５が含まれていなかった場合には、撮像画像情報は対象物違いと判断して対応する結果情報をイベント情報ＤＢ４から取得し（ＳＴ２９０６）、取得した結果情報を用者端末２に送信し（ＳＴ２９０７）、利用者端末２への送信結果を配信情報ＤＢ１８に記憶して（ＳＴ２９０８）、処理を終了する。
【００９４】
なお、ＳＴ２９０１において、判断者端末９から受信した判断結果情報に基づいて、利用者端末２から受信した撮像画像情報に撮像対象物５が含まれるか否かを判断するとは、判断者端末９から受信した判断結果情報が（利用者１に撮像対象として指定した）撮像対象物５が利用者端末２から受信した撮像画像情報に撮像されていること（なお、判断者８の主観的判断において、おそらく撮像されていることを含んでもよい）を示していた場合には、利用者端末２から受信した撮像画像情報に撮像対象物５が含まれると判断し、判断者端末９から受信した判断結果情報が（利用者１に撮像対象として指定した）撮像対象物５が利用者端末２から受信した撮像画像情報に撮像されていないことを示していた場合には、利用者端末２から受信した撮像画像情報に撮像対象物５が含まれていないと判断する処理のことである。
【００９５】
図３０は、図２６に示す機能ブロック図に対応する判断者端末の演算部におけるフローチャートである。
【００９６】
同図において、判断者端末９は、イベント提供システムサーバ３から判断基準情報とともに画像情報を受信すると（ＳＴ３００１）、受信した判断基準情報とともに画像情報を情報出力部２６−２に出力し（ＳＴ３００２）、情報出力部２６−２に出力した情報に応じた判断者８からの判断結果情報を情報入力部２６−１から受け付けると（ＳＴ３００３）、受け付けた判断結果情報をイベント提供システムサーバ３に送信して（ＳＴ３００４）、処理を終了する。
【００９７】
図３１は、本発明の実施形態における判断者端末に表示された判断処理画面の具体例を説明する説明図である。
【００９８】
同図は、図２４に示す機能ブロック図に対応する。同図において、判断者端末９の情報出力部２６−２の具体例となる表示画面に表示された判断処理画面には、イベント提供システムサーバ３から受信した課題画像情報を画面左側に、同様に撮像画像情報を画面右側に並べて表示されており、これらの表示された画像情報が判断材料（判断対象）となる。画面左下には判断者８にとって判断基準となる判断基準情報が示されており、具体的には「左の課題画像の『撮像対象物』と右の撮像画像の『撮像対象物』は同じように見えますか？」と表示されている。判断者８は自らの主観的判断によって同じ構図に見えれば画面右下の「ＹＥＳ」のアイコンを、同様に同じ構図に見えなければ画面右下の「ＮＯ」のアイコンを操作する。この判断者８によるアイコン操作によって、判断者端末９は判断者８からの判断結果情報を情報入力部２６−１から受け付けたことになり、受け付けた判断結果情報をイベント提供システムサーバ３に送信する。
【００９９】
図３２は、本発明の実施形態における判断者端末に表示された判断処理画面の具体例を説明する説明図である。
【０１００】
同図は、図２５に示す機能ブロック図に対応する。同図において、判断者端末９の情報出力部２６−２の具体例となる表示画面に表示された判断処理画面には、イベント提供システムサーバ３から受信したサンプル画像情報を画面左側に、同様に撮像画像情報を画面右側に並べて表示されており、これらの表示された画像情報が判断材料（判断対象）となる。画面左下には判断者８にとって判断基準となる判断基準情報が示されており、具体的には「左のサンプル画像に示される『撮像対象物』は右の撮像画像に撮像されていますか？」と表示されている。判断者８は自らの主観的判断によって撮像されていると判断すれば画面右下の「ＹＥＳ」のアイコンを、同様に撮像されていないと判断すれば画面右下の「ＮＯ」のアイコンを操作する。この判断者８によるアイコン操作によって、判断者端末９は判断者８からの判断結果情報を情報入力部２６−１から受け付けたことになり、受け付けた判断結果情報をイベント提供システムサーバ３に送信する。
【０１０１】
（第４実施形態）
図３３〜図４４を用いて、本発明における第４実施形態を説明する。第４実施形態の特徴は、イベント提供システムが提供するイベントにおいて、時間の経過とともに、または利用者１に与えられた残りの制限時間に応じて、利用者１に許される場所的な許容範囲（場所的許容エリア）が制限されていくことであり、第１実施形態と異なる点のみを以下説明する。制限時間などの時間的制約だけでも利用者１にイベントとしての緊迫感を与えることは出来る。ただし、利用者端末２に送信した課題画像情報と同じ構図で撮像対照物５の撮像することをイベントとして提供する本発明におけるイベント提供システムでは、同じ構図で撮像できるか（つまり、イベントにおける課題を達成できるか）についてのカギを「どこから（どの場所）から撮像するか」が握っている。そこで、同じ構図が撮像できる場所を含む場所的許容エリアを利用者１が費やしてしまった時間の経過に応じて徐々にしぼり込めば、本発明におけるイベント提供システムならではの緊迫感を利用者１に与えることが出来る。このような緊迫感は、利用者１にとってスリルと緊張感となり、利用者１をより楽しませることが出来る。
【０１０２】
なお、時間の計測には、主にイベント開始からの経過時間をカウントアップ的に計測するカウントアップ式時間計測法と、利用者１に許された（許容された）あらかじめ定める制限時間をカウントダウン的に計測するカウントダウン式計測法とがある。
【０１０３】
図３３は、本発明の実施形態におけるイベント提供システムサーバの機能ブロック図である。
【０１０４】
同図は、利用者端末２から受信した（利用者端末２が現在いる場所を示す）現在場所情報の更新に基づいて、イベントの継続／非継続（イベント終了）を判断する場合である。同図において、イベント提供システムサーバ３は、利用者端末２からイベント開始の要求を受け付ける機能と、受け付けたイベントの開始要求に基づいてイベントのルールを定めるルール情報をルール情報ＤＢ４−１から取得する機能と、取得したルール情報に基づいて課題となる課題画像情報を画像情報ＤＢ４−２から取得する機能と、ルール情報とともに取得した課題画像情報を利用者端末２に送信する機能とを有する。さらに、イベント提供システムサーバ３は、利用者端末２への課題情報送信完了に基づいて、イベント開始からの経過時間または残りの制限時間を時間情報として計測する機能と、利用者端末２から（利用者端末２が現在いる場所を示す）現在場所情報の更新を受信する機能と、利用者端末２からの現在場所情報更新の受信に応じて計測している時間情報を取得する機能と、取得した時間情報に基づいて利用者１に許容される場所的許容エリア情報を画像情報ＤＢ４−２から取得する機能と、利用者端末２から受信した現在場所情報がＤＢから取得した場所的許容エリア情報に含まれているか否かを判断する機能と、判断結果に応じてイベントの継続／非継続を利用者端末２に送信する機能とを有する。なお、イベント開始からの経過時間を計測する機能は利用者端末２側にあってもよく、この場合はイベント提供システムサーバ３から利用者端末２に制限時間情報を送信し、イベント開始とあらかじめ定める経過時間またはあらかじめ定める残りの制限時間に応じて、利用者端末２からイベント提供システムサーバ３に残りの制限時間を通知をする通知情報を送信するとよい。また、利用者端末２におけるイベント開始の判断処理では、情報出力部２０−２に課題情報を出力した時点をイベント開始時と見なすとよく、この場合は、利用者端末２はイベント提供システムサーバ３にイベント開始を通知する通知情報を送信する。
【０１０５】
図３４は、図３３に示す機能ブロック図に対応するイベント提供システムサーバの演算部におけるフローチャートである。
【０１０６】
同図において、イベント提供システムサーバ３は、利用者端末２から（利用者端末２が現在いる場所を示す）現在場所情報の更新を受信すると（ＳＴ３４０１）、利用者端末２から受信した現在場所情報を受信情報ＤＢ１９に記憶し（ＳＴ３４０２）、イベント開始からの経過時間または残りの制限時間である時間情報を取得し（ＳＴ３４０３）、取得した時間情報に基づいて利用者１に許容される場所的許容エリア情報を画像情報ＤＢ４−２から取得し（ＳＴ３４０４）、利用者端末２から受信した現在場所情報がＤＢから取得した場所的許容エリア内か否かを判断して（ＳＴ３４０５）、場所的許容エリア内であると判断した場合には、イベント継続を示す通知情報をイベント情報ＤＢ４から取得し（ＳＴ３４０６）、場所的許容エリア内でない（場所的許容エリア外である）と判断した場合には、イベント非継続（イベント終了）を示す通知情報をイベント情報ＤＢ４から取得し（ＳＴ３４０７）、取得した通知情報を利用者端末２に送信し（ＳＴ３４０８）、利用者端末２への送信結果を配信情報ＤＢ１８に記憶して（ＳＴ３４０９）、処理を終了する。イベント提供システムサーバ３から結果情報を受信した利用者端末２は、受信した通知情報を情報出力部２０−２に出力し、受信した通知情報がイベント非継続（イベント終了）であった場合には、イベントを終了する処理を実行する。
【０１０７】
なお、イベント提供システムサーバ３は、あらかじめ定める経過時間またはあらかじめ定める残りの制限時間ごとに利用者端末２に対して現在場所情報の送信を要求する送信要求情報を利用者端末２に送信してもよい。この場合はイベント提供システムサーバ３から現在場所情報を要求された利用者端末２が、記憶部２４に記憶する最新の場所情報を取得するか、もしくはその都度現在場所情報を更新して、現在場所情報をイベント提供システムサーバ３に送信するとよい。このようにあらかじめ定める時間ごとに取得した情報に基づいてイベントの継続／非継続（イベント終了）を判断することは、イベント提供システムが提供するイベントにおいていわばチェックポイントを設けたことと同じである。図３５および図３６を用いて説明する。
【０１０８】
図３５は、本発明の実施形態におけるイベント提供システムサーバの機能ブロック図である。
【０１０９】
同図は、イベント提供システムサーバ３から利用者端末２に現在場所情報の送信を要求し、要求に応じた利用者端末２から受信した（利用者端末２が現在いる場所を示す）現在場所情報に基づいて、イベントの継続／非継続（イベント終了）を判断する場合である。同図において、イベント提供システムサーバ３は、利用者端末２への課題情報送信完了に基づいて、イベント開始からの経過時間または残りの制限時間を時間情報として計測する機能と、計測している時間情報に基づいて利用者端末２から（利用者端末２が現在いる場所を示す）現在場所情報の取得要求を送信する機能と、要求に応じた利用者端末２からの現在場所情報更新の受信に応じて計測している時間情報を取得する機能と、取得した時間情報に基づいて利用者１に許容される場所的許容エリア情報を画像情報ＤＢ４−２から取得する機能と、利用者端末２から受信した現在場所情報がＤＢから取得した場所的許容エリア情報に含まれているか否かを判断する機能と、判断結果に応じてイベントの継続／非継続を利用者端末２に送信する機能とを有する。図３３に示す機能ブロック図と同様に、イベント開始からの経過時間を計測する機能は利用者端末２側にあってもよい。
【０１１０】
図３６は、図３５に示す機能ブロック図に対応するイベント提供システムサーバの演算部におけるフローチャートである。
【０１１１】
同図において、イベント提供システムサーバ３は、利用者端末２から現在場所情報の取得要求を受け付けると（ＳＴ３６０１）、現在場所情報の取得要求を利用者端末２に送信し（ＳＴ３６０２）、利用者端末２への送信結果を配信情報ＤＢ１８に記憶して（ＳＴ３６０３）、要求に応じた利用者端末２から現在場所情報を受信すると（ＳＴ３６０４）、利用者端末２から受信した現在場所情報を受信情報ＤＢ１９に記憶し（ＳＴ３６０５）、イベント開始からの経過時間または残りの制限時間である時間情報を取得し（ＳＴ３６０６）、取得した時間情報に基づいて利用者１に許容される場所的許容エリア情報を画像情報ＤＢ４−２から取得し（ＳＴ３６０７）、利用者端末２から受信した現在場所情報がＤＢから取得した場所的許容エリア内か否かを判断して（ＳＴ３６０８）、場所的許容エリア内であると判断した場合には、イベント継続を示す通知情報をイベント情報ＤＢ４から取得し（ＳＴ３６０９）、場所的許容エリア内でない（場所的許容エリア外である）と判断した場合には、イベント非継続（イベント終了）を示す通知情報をイベント情報ＤＢ４から取得し（ＳＴ３６１０）、取得した通知情報を利用者端末２に送信し（ＳＴ３６１１）、利用者端末２への送信結果を配信情報ＤＢ１８に記憶して（ＳＴ３６１２）、処理を終了する。イベント提供システムサーバ３から結果情報を受信した利用者端末２は、受信した通知情報を情報出力部２０−２に出力し、受信した通知情報がイベント非継続（イベント終了）であった場合には、イベントを終了する処理を実行する。
【０１１２】
図３７は、本発明の実施形態におけるイベント提供システムサーバの機能ブロック図である。
【０１１３】
同図は、第１実施形態における図１２に示す機能ブロック図に対応する。なお、画像に関する判断処理は、第３実施形態に示すように判断者８に任せてもよい。同図において、イベント提供システムサーバ３は、利用者端末２からイベント開始の要求を受け付ける機能と、受け付けたイベントの開始要求に基づいてイベントのルールを定めるルール情報をルール情報ＤＢ４−１から取得する機能と、取得したルール情報に基づいて課題となる課題画像情報を画像情報ＤＢ４−２から取得する機能と、ルール情報とともに取得した課題画像情報を利用者端末２に送信する機能とを有する。さらに、イベント提供システムサーバ３は、利用者端末２への課題画像情報の送信完了に応じてイベント開始からの計測時間または残りの制限時間である時間情報を計測する機能と、利用者端末２から（イベント提供システムサーバ３が利用者端末２に送信した）課題画像情報に対する撮像画像情報を撮像場所情報とともに受信する機能と、受信した撮像画像情報に対応する課題画像情報を画像情報ＤＢ４−２から取得する機能と、利用者端末２から受信した撮像画像情報と画像情報ＤＢ４−２から取得した課題画像情報の２つの画像情報に関する適合度合に基づいて課題達成を判断する機能と、判断結果情報に応じて課題達成を示す結果情報を利用者端末２に送信する機能と、イベント開始からの計測時間または残りの制限時間である時間情報を取得する機能と、取得した時間情報に応じて利用者１に許される許容エリア情報を取得する機能と、撮像画像情報とともに受信した撮像場所情報を取得して、利用者端末２から受信した撮像場所情報が許容エリア情報に含まれるか否かを判断する機能と、課題達成の判断結果情報に応じてイベントの継続／非継続（イベント終了）を示す結果情報を利用者端末２に送信する機能とを有する。イベント開始の判断処理では、利用者端末２への課題画像情報の送信完了した時点をイベント開始時と見なすのではなく、利用者端末２の情報出力部２０−２に課題情報を出力した時点をイベント開始時と見なしてもよい。
【０１１４】
図３８は、本発明の実施形態におけるイベント提供システムサーバの機能ブロック図である。
【０１１５】
同図は、第２実施形態における図１７に示す機能ブロック図に対応する。なお、画像に関する判断処理は、第３実施形態に示すように判断者８に任せてもよい。同図において、イベント提供システムサーバ３は、利用者端末２からイベント開始の要求を受け付ける機能と、受け付けたイベントの開始要求に基づいてイベントのルールを定めるルール情報をルール情報ＤＢ４−１から取得する機能と、取得したルール情報に基づいて課題となる課題画像情報を画像情報ＤＢ４−２から取得する機能と、ルール情報とともに取得した課題画像情報を利用者端末２に送信する機能とを有する。さらに、イベント提供システムサーバ３は、利用者端末２への課題画像情報の送信完了に応じてイベント開始からの計測時間または残りの制限時間である時間情報を計測する機能と、利用者端末２から（イベント提供システムサーバ３が利用者端末２に送信した）課題画像情報に対する撮像画像情報を撮像場所情報とともに受信する機能と、送信したルール情報に定める撮像対象物５の形状的特徴情報を画像情報ＤＢ４−２から取得する機能と、取得した形状的特徴情報に基づいて利用者端末２から受信した撮像画像情報に撮像対象物５が含まれるか否かを判断する機能と、利用者端末２に送信した課題画像情報にあらかじめ付与されている撮像エリア情報を画像情報ＤＢ４−２から取得する機能と、撮像画像情報とともに受信した撮像場所情報を取得して、利用者端末２から受信した撮像場所情報が画像情報ＤＢ４−２から取得した撮像エリア情報に含まれるか否かを判断する機能と、イベント開始からの計測時間または残りの制限時間である時間情報を取得する機能と、取得した時間情報に応じて利用者１に許される許容エリア情報を取得する機能と、撮像画像情報とともに受信した撮像場所情報を取得して、利用者端末２から受信した撮像場所情報が許容エリア情報に含まれるか否かを判断する機能と、利用者１に撮像対象として指定した撮像対象物５が利用者端末２から受信した撮像画像情報に含まれるか否かの判断結果情報と、利用者端末２から受信した撮像場所情報が撮像エリア情報に含まれるか否かの判断結果情報および利用者端末２から受信した撮像場所情報が許容エリア情報に含まれるか否かの判断結果情報の３つの判断結果情報に基づいて課題達成を判断する機能と、課題達成の判断結果情報に応じて課題達成／イベント継続／イベント非継続（イベント終了）を示す結果情報を利用者端末２に送信する機能とを有する。イベント開始の判断処理では、利用者端末２への課題画像情報の送信完了した時点をイベント開始時と見なすのではなく、利用者端末２の情報出力部２０−２に課題情報を出力した時点をイベント開始時と見なしてもよい。
【０１１６】
図３９は、図３７に示す機能ブロック図に対応するイベント提供システムサーバの演算部におけるフローチャートである。
【０１１７】
同図において、イベント提供システムサーバ３は、利用者端末２から（イベント提供システムサーバ３が利用者端末２に送信した）課題画像情報に対する撮像画像情報を撮像場所情報とともに受信すると（ＳＴ３９０１）、利用者端末２から受信した撮像画像情報を撮像場所情報とともに受信情報ＤＢ１９に記憶し（ＳＴ３９０２）、受信した撮像画像情報に対応する課題画像情報を画像情報ＤＢ４−２から取得し（ＳＴ３９０３）、利用者端末２から受信した撮像画像情報と画像情報ＤＢ４−２から取得した課題画像情報の２つの画像情報に関する適合度合を算出し（ＳＴ３９０４）、算出した適合度合はあらかじめ定めた値以上あるか否かを判断して（ＳＴ３９０５）算出した適合度合があらかじめ定めた値以上ある場合には、課題達成と判断して対応する結果情報をイベント情報ＤＢ４から取得し（ＳＴ３９０６）、算出した適合度合があらかじめ定めた値に満たない場合には、課題未達成と判断して、イベント開始からの計測時間または残りの制限時間である時間情報を取得し（ＳＴ３９０７）、取得した時間情報に応じて利用者１に許される許容エリア情報を画像情報ＤＢ４−２から取得し（ＳＴ３９０８）、撮像画像情報とともに受信した撮像場所情報を受信情報ＤＢ１９から取得し（ＳＴ３９０９）、利用者端末２から受信した撮像場所情報が許容エリア情報に含まれるか否かを判断し（ＳＴ３９１０）、撮像場所情報が許容エリア情報に含まれる場合には、イベント継続と判断して対応する結果情報をイベント情報ＤＢ４から取得し（ＳＴ３９１１）、撮像場所情報が許容エリア情報に含まれない場合には、イベント非継続（イベント終了）と判断して対応する結果情報をイベント情報ＤＢ４から取得し（ＳＴ３９１２）、取得した結果情報を用者端末２に送信し（ＳＴ３９１３）、利用者端末２への送信結果を配信情報ＤＢ１８に記憶して（ＳＴ３９１４）、処理を終了する。イベント提供システムサーバ３から結果情報を受信した利用者端末２は、受信した通知情報を情報出力部２０−２に出力し、受信した通知情報がイベント非継続（イベント終了）であった場合には、イベントを終了する処理を実行する。
【０１１８】
図４０および図４１は、図３８に示す機能ブロック図に対応するイベント提供システムサーバの演算部におけるフローチャートである。
【０１１９】
同図において、イベント提供システムサーバ３は、利用者端末２から（イベント提供システムサーバ３が利用者端末２に送信した）課題画像情報に対する撮像画像情報を撮像場所情報とともに受信すると（ＳＴ４００１）、利用者端末２から受信した撮像画像情報を撮像場所情報とともに受信情報ＤＢ１９に記憶し（ＳＴ４００２）、送信したルール情報に定める撮像対象物５の形状的特徴情報を画像情報ＤＢ４−２から取得し（ＳＴ４００３）、取得した経常的特徴情報に基づいて利用者端末２から受信した撮像画像情報に撮像対象物５が含まれるか否かを判断し（ＳＴ４００４）、撮像画像情報に撮像対象物５が含まれていた場合には、利用者端末２に送信した課題画像情報にあらかじめ付与されている撮像エリア情報を画像情報ＤＢ４−２から取得し（ＳＴ４００５）、撮像画像情報とともに利用者端末２から受信した撮像場所情報を受信情報ＤＢ１９から取得し、利用者端末２から受信した撮像場所情報が画像情報ＤＢ４−２から取得した撮像エリア情報に含まれるか否かを判断して（ＳＴ４００６）、撮像場所情報が撮像エリア情報に含まれていた場合には、課題達成と判断して対応する結果情報をイベント情報ＤＢ４から取得し（ＳＴ４００７）、撮像場所情報が撮像エリア情報に含まれていなかった場合には、撮像画像情報は撮像場所違いと判断して対応する結果情報をイベント情報ＤＢ４から取得し（ＳＴ４００８）、ＳＴ４００４で撮像画像情報に撮像対象物５が含まれていなかった場合には、撮像画像情報は対象物違いと判断して対応する結果情報をイベント情報ＤＢ４から取得する（ＳＴ４００９）。
【０１２０】
ＳＴ４００８またはＳＴ４００９で結果情報をイベント情報ＤＢ４から取得した場合は、課題未達成と判断して、さらにイベント開始からの計測時間または残りの制限時間である時間情報を取得し（ＳＴ４１０１）、取得した時間情報に応じて利用者１に許される許容エリア情報を画像情報ＤＢ４−２から取得し（ＳＴ４１０２）、撮像画像情報とともに受信した撮像場所情報を受信情報ＤＢ１９から取得し（ＳＴ４１０３）、利用者端末２から受信した撮像場所情報が許容エリア情報に含まれるか否かを判断し（ＳＴ４１０４）、撮像場所情報が許容エリア情報に含まれる場合には、イベント継続と判断して対応する結果情報をイベント情報ＤＢ４から取得し（ＳＴ４１０５）、撮像場所情報が許容エリア情報に含まれない場合には、イベント非継続（イベント終了）と判断して対応する結果情報をイベント情報ＤＢ４から取得し（ＳＴ４１０６）、取得した結果情報を用者端末２に送信し（ＳＴ４０１１）、利用者端末２への送信結果を配信情報ＤＢ１８に記憶して（ＳＴ４０１２）、処理を終了する。イベント提供システムサーバ３から結果情報を受信した利用者端末２は、受信した通知情報を情報出力部２０−２に出力し、受信した通知情報がイベント非継続（イベント終了）であった場合には、イベントを終了する処理を実行する。
【０１２１】
図４２は、本発明の実施形態における利用者端末とイベント提供システムサーバの演算部におけるフローチャートである。
【０１２２】
同図は、イベント開始の判断処理を利用者端末２で実行する場合を示す。同図において、利用者端末２は、課題画像情報が情報出力部２０−２に出力されると（ＳＴ４２０１）、時間計測機能があるか否かをチェックして（ＳＴ４２０２）、時間計測機能がある場合には、課題画像情報の情報出力部２０−２への出力をイベント開始と見なして、時間情報の計測を開始し（ＳＴ４２０３）、イベント開始を通知する通知情報をイベント提供システムサーバ３に送信して（ＳＴ４２０４）、処理を終了する。イベント提供システムサーバ３は、利用者端末２からイベント開始を通知する通知情報を受信すると、受信した通知情報を受信情報ＤＢ１９に記憶し（ＳＴ４２０５）、必要に応じて処理を実行して（ＳＴ４２０６）、処理を終了する。
【０１２３】
図４３〜図４６は、本発明の実施形態における場所的許容エリアの具体例を説明する説明図である。
【０１２４】
同図は、時間の経過とともに利用者１に許された場所的許容エリアが段階的にしぼり込まれる様子を説明する。図４３は、第１の経過時間におけるイベント継続エリア（図中の網掛け部）とイベント非継続エリア（図中の非網掛け部）を示す。第１の経過時間におけるイベント継続エリアは、撮像対象物５と課題画像情報が撮像された撮像場所を直線で結ぶ線分を中心に２７０度の範囲である。同様に、図４４は第２の経過時間におけるイベント継続エリア（図中の網掛け部）とイベント非継続エリア（図中の非網掛け部）を示す。第２の経過時間におけるイベント継続エリアは、撮像対象物５と課題画像情報が撮像された撮像場所を直線で結ぶ線分を中心に９０度の範囲である。同様に、図４５は第３の経過時間におけるイベント継続エリア（図中の網掛け部）とイベント非継続エリア（図中の非網掛け部）を示す。第３の経過時間におけるイベント継続エリアは、撮像場所を中心とした円が第２の経過時間におけるイベント継続エリアをはみ出ないように設定された場所領域である。同様に、図４６は第４の経過時間におけるイベント継続エリア（図中の網掛け部）とイベント非継続エリア（図中の非網掛け部）を示す。第４の経過時間におけるイベント継続エリアは、撮像場所を中心とし、第３の経過時間におけるイベント継続エリアを同心円状に狭めた場所領域である。
【０１２５】
図４７は、本発明の実施形態における課題画像情報の具体例を説明する説明図である。
【０１２６】
同図において、イベント提供システムが課題として利用者１に与える課題画像情報では、撮像対象物５と撮像場所との間にある建築物などの特徴的形状を意図的取り込んだ構図にしておくと利用者１が撮像場所を探すヒントとなる。図４７（ａ）〜（ｄ）はその具体例を示し、代表として図４４（ａ）を説明する。図４４（ａ）は、京都駅にある空中通路と呼ばれる見晴らしの良いチューブ型の通路（Ｅ地点）から撮像した課題画像情報であり、通路を固定する鉄骨の骨組みが特徴的である。撮像対象物５の見え方から比較的高い位置での撮像であることがわかり、撮像対象物５の手前にある特徴的な縦・横・斜めのラインの組み合わせが京都駅ビル構内にある空中通路の骨組みであると気付けば、実際に空中通路に上がって同じ構図に撮像対象物５が見える場所を探すだけである。
【０１２７】
【発明の効果】
以上記載の本発明によれば、イベント提供システムが利用者に課題として与える課題画像情報は、利用者にとってあたかも一枚の写真のように余分な説明が一切無いシンプルな情報であるので、利用者が本来、人として持つ好奇心をくすぐられ、結果として利用者は自由な推測や想像をめぐらすことが出来ると同時に、説明の少なさゆえに他人から指示されて行動を促されたかのように利用者が感じることで生じるモチベーションの低下を防ぐことが出来る。
【０１２８】
つまり、利用者が撮像対象物を含めた実風景を眺め、課題画像情報と見比べ、撮像対象物の周りをめぐるうちに、課題画像情報に撮像された特徴に気付く。利用者がこれらの特徴に気付けば気付くだけ情報量が増えていくことになり、この気付く面白さによって利用者のさらなる好奇心がくすぐられ、知的探究心が満たされていく効果が期待できるので、利用者は多くの満足感を得られる。
【０１２９】
また、イベント提供システムが提供するイベントでは、与えられた課題画像情報と同じ構図に見える場所を探す楽しみを利用者に提供するだけでなく、その探す過程で撮像対象物の周辺を何度も眺めることによってそれぞれの利用者が（このイベントがなければ）見落としていた何かに気付く「きっかけ」を与えることが出来る。
【０１３０】
さらに、イベント提供システムが提供するイベントにおいて、時間の経過とともに、または利用者に与えられた残りの制限時間に応じて、利用者に許される場所的な許容範囲（場所的許容エリア）を制限すると、利用者にとってスリルと緊張感となり、利用者をより楽しませることが出来る。
【図面の簡単な説明】
【図１】本発明の実施形態における撮像対象物と撮像対象物を撮像した課題画像情報の具体例を説明する説明図
【図２】図１に示す課題画像情報を撮像した撮像場所を説明する説明図
【図３】本発明の実施形態におけるイベント提供システムのコンセプトを説明する説明図
【図４】本発明の実施形態における具体例を説明する説明図
【図５】本発明の実施形態における具体例を説明する説明図
【図６】本発明の実施形態における具体例を説明する説明図
【図７】本発明の第２実施形態におけるイベント提供システムのコンセプトを説明する説明図
【図８】本発明の第３実施形態におけるイベント提供システムのコンセプトを説明する説明図
【図９】本発明の実施形態におけるイベント提供システムサーバのハードブロック図
【図１０】本発明の実施形態における利用者端末のハードブロック図
【図１１】本発明の実施形態における判断者端末のハードブロック図
【図１２】本発明の実施形態におけるイベント提供システムサーバの機能ブロック図
【図１３】本発明の実施形態における利用者端末の機能ブロック図
【図１４】図１２に示す機能ブロック図に対応するイベント提供システムサーバの演算部におけるフローチャート
【図１５】図１３に示す機能ブロック図に対応する利用者端末の演算部におけるフローチャート
【図１６】本発明の実施形態における利用者端末の演算部におけるフローチャート
【図１７】本発明の実施形態におけるイベント提供システムサーバの機能ブロック図
【図１８】本発明の実施形態における利用者端末の機能ブロック図
【図１９】図１７に示す機能ブロック図に対応するイベント提供システムサーバの演算部におけるフローチャート
【図２０】図１８に示す機能ブロック図に対応する利用者端末の演算部におけるフローチャート
【図２１】本発明の実施形態における利用者端末の機能ブロック図
【図２２】図２１に示す機能ブロック図に対応する利用者端末またはスタッフ端末の演算部におけるフローチャート
【図２３】図２１に示す機能ブロック図に対応する利用者端末またはスタッフ端末の演算部におけるフローチャート
【図２４】本発明の実施形態におけるイベント提供システムサーバの機能ブロック図
【図２５】本発明の実施形態におけるイベント提供システムサーバの機能ブロック図
【図２６】本発明の実施形態における判断者端末の機能ブロック図
【図２７】図２４に示す機能ブロック図に対応するイベント提供システムサーバの演算部におけるフローチャート
【図２８】図２５に示す機能ブロック図に対応するイベント提供システムサーバの演算部におけるフローチャート
【図２９】図２５に示す機能ブロック図に対応するイベント提供システムサーバの演算部におけるフローチャート
【図３０】図２６に示す機能ブロック図に対応する判断者端末の演算部におけるフローチャート
【図３１】本発明の実施形態における判断者端末に表示された判断処理画面の具体例を説明する説明図
【図３２】本発明の実施形態における判断者端末に表示された判断処理画面の具体例を説明する説明図
【図３３】本発明の実施形態におけるイベント提供システムサーバの機能ブロック図
【図３４】図３３に示す機能ブロック図に対応するイベント提供システムサーバの演算部におけるフローチャート
【図３５】本発明の実施形態におけるイベント提供システムサーバの機能ブロック図
【図３６】図３５に示す機能ブロック図に対応するイベント提供システムサーバの演算部におけるフローチャート
【図３７】本発明の実施形態におけるイベント提供システムサーバの機能ブロック図
【図３８】本発明の実施形態におけるイベント提供システムサーバの機能ブロック図
【図３９】図３７に示す機能ブロック図に対応するイベント提供システムサーバの演算部におけるフローチャート
【図４０】図３８に示す機能ブロック図に対応するイベント提供システムサーバの演算部におけるフローチャート
【図４１】図３８に示す機能ブロック図に対応するイベント提供システムサーバの演算部におけるフローチャート
【図４２】本発明の実施形態における利用者端末とイベント提供システムサーバの演算部におけるフローチャート
【図４３】本発明の実施形態における場所的許容エリアの具体例を説明する説明図
【図４４】本発明の実施形態における場所的許容エリアの具体例を説明する説明図
【図４５】本発明の実施形態における場所的許容エリアの具体例を説明する説明図
【図４６】本発明の実施形態における場所的許容エリアの具体例を説明する説明図
【図４７】本発明の実施形態における課題画像情報の具体例を説明する説明図
【符号の説明】
１  利用者
２  利用者端末
３  イベント提供システムサーバ
４  イベント情報ＤＢ
４−１  ルール情報ＤＢ
４−２  画像情報ＤＢ
５  撮像対象物
６  場所情報タグ
７  位置情報提供システム
８  判断者
９  判断者端末
１５  ネットワーク
１８  配信情報ＤＢ
１９  受信情報ＤＢ
２１  撮像部
２２  位置情報／場所情報取得部
【図１】
2004355325.tif 000003
【図２】
2004355325.tif 000004
【図３】
2004355325.tif 000005
【図４】
2004355325.tif 000006
【図５】
2004355325.tif 000007
【図６】
2004355325.tif 000008
【図７】
2004355325.tif 000009
【図８】
2004355325.tif 000010
【図９】
2004355325.tif 000011
【図１０】
2004355325.tif 000012
【図１１】
2004355325.tif 000013
【図１２】
2004355325.tif 000014
【図１３】
2004355325.tif 000015
【図１４】
2004355325.tif 000016
【図１５】
2004355325.tif 000017
【図１６】
2004355325.tif 000018
【図１７】
2004355325.tif 000019
【図１８】
2004355325.tif 000020
【図１９】
2004355325.tif 000021
【図２０】
2004355325.tif 000022
【図２１】
2004355325.tif 000023
【図２２】
2004355325.tif 000024
【図２３】
2004355325.tif 000025
【図２４】
2004355325.tif 000026
【図２５】
2004355325.tif 000027
【図２６】
2004355325.tif 000028
【図２７】
2004355325.tif 000029
【図２８】
2004355325.tif 000030
【図２９】
2004355325.tif 000031
【図３０】
2004355325.tif 000032
【図３１】
2004355325.tif 000033
【図３２】
2004355325.tif 000034
【図３３】
2004355325.tif 000035
【図３４】
2004355325.tif 000036
【図３５】
2004355325.tif 000037
【図３６】
2004355325.tif 000038
【図３７】
2004355325.tif 000039
【図３８】
2004355325.tif 000040
【図３９】
2004355325.tif 000041
【図４０】
2004355325.tif 000042
【図４１】
2004355325.tif 000043
【図４２】
2004355325.tif 000044
【図４３】
2004355325.tif 000045
【図４４】
2004355325.tif 000046
【図４５】
2004355325.tif 000047
【図４６】
2004355325.tif 000048
【図４７】
2004355325.tif 000049
【手続補正書】
【提出日】平成16年4月19日(2004.4.19)
【手続補正１】
【補正対象書類名】明細書
【補正対象項目名】特許請求の範囲
【補正方法】変更
【補正の内容】
【特許請求の範囲】
【請求項１】
撮像対象物をあらかじめ撮像した撮像画像情報をイベント提供システムサーバから利用者の持つ利用者端末に課題画像情報として送信・表示させて、該課題画像情報と同じ構図での前記撮像対象物の撮像を課題とするイベントを提供する、イベント提供システムサーバを用いたイベント提供システムであって、
前記イベント提供システムサーバは、
前記課題画像情報を記憶する課題画像情報記憶手段と、
前記利用者に対して与えた前記課題画像情報と同じ構図で前記撮像対象物の撮像を前記利用者に求めるイベントルール情報を記憶するイベントルール情報記憶手段と、
前記利用者端末からイベント開始要求を受け付けると、受け付けたイベント開始要求に基づいて前記イベントルール情報記憶手段から前記イベントルール情報を取得するイベントルール情報取得手段と、
前記イベントルール情報取得手段が取得した前記イベントルール情報に基づいて前記課題画像情報記憶手段から課題となる前記課題画像情報を取得する課題画像情報取得手段と、
前記課題画像情報取得手段が取得した前記課題画像情報を、前記イベントルール情報取得手段が取得した前記イベントルール情報とともに送信する情報送信手段とを有しており、
前記利用者端末は、前記イベント提供システムサーバから受信した前記課題画像情報を前記イベントルール情報とともに情報出力手段に出力することを特徴とする、イベント提供システムサーバを用いたイベント提供システム。
【請求項２】
前記イベント提供システムサーバは、
前記利用者端末から前記課題に対応する撮像画像情報を受け付けると、受け付けた撮像画像情報と課題である前記課題画像情報とが一致するか否かを示す適合度合を判断する画像適合度合判断手段と、
前記画像適合度合判断手段が判断した前記適合度合に基づいて前記課題の達成／未達成を判断する課題達成／未達成判断手段とをさらに有し、
前記情報送信手段は、前記課題達成／未達成判断手段が判断した前記課題の達成／未達成を示す情報を前記利用者端末に送信し、
前記利用者端末は、
前記イベント提供システムサーバから受信した前記課題の達成／未達成を示す情報を前記情報出力手段に出力することを特徴とする請求項１に記載のイベント提供システム。
【請求項３】
前記イベント提供システムサーバの前記課題画像情報記憶手段は、前記課題画像情報を、前記課題画像情報が撮像された撮像場所を含んだあらかじめ定めるエリアを示す課題画像撮像エリア情報とを組にして記憶するとともに、
前記イベント提供システムサーバは、
前記撮像対象物の形状的特徴情報を記憶する撮像対象物特徴情報記憶手段と、
前記利用者端末から前記課題に対応する撮像画像情報を該撮像画像情報が撮像された場所を示す撮像場所情報とともに受け付けると、受け付けた撮像画像情報に対応する前記課題画像情報に撮像されている前記撮像対象物の形状的特徴情報を前記撮像対象物特徴情報記憶手段から取得する撮像対象物特徴情報取得手段と、
前記撮像対象物特徴情報取得手段が取得した前記撮像対象物の形状的特徴情報に基づいて、受け付けた前記撮像画像情報に前記撮像対象物が撮像されているか否かを判断する撮像対象物判断手段と、
前記撮像対象物判断手段によって、受け付けた前記撮像画像情報に前記撮像対象物が撮像されていると判断した場合には前記課題画像情報とともに記憶される前記課題画像撮像エリア情報を前記課題画像情報記憶手段から取得する課題画像撮像エリア情報取得手段と、
前記課題画像撮像エリア情報取得手段が取得した前記課題画像撮像エリア情報が示す撮像場所のエリアに受け付けた撮像場所情報が含まれるか否かを判断する撮像場所判断手段とをさらに有し、
前記イベント提供システムサーバは、前記撮像場所判断手段によって、前記課題画像撮像エリア情報が示す撮像場所のエリアに受け付けた前記撮像場所情報が含まれると判断した場合には課題達成を示す結果情報を前記利用者端末に送信し、前記課題画像撮像エリア情報が示す撮像場所のエリアに受け付けた撮像場所情報が含まれないと判断した場合には撮像場所違いを示す結果情報を前記利用者端末に送信し、受け付けた前記撮像画像情報に前記撮像対象物が撮像されていないと判断した場合には撮像対象物違いを示す結果情報を前記利用者端末に送信して、
前記利用者端末は、前記イベント提供システムサーバから受信した前記結果情報を前記情報出力手段に出力することを特徴とする請求項１に記載のイベント提供システム。
【請求項４】
撮像対象物をあらかじめ撮像した撮像画像情報をイベント提供システムサーバから利用者の持つ利用者端末に課題画像情報として送信・表示させて、該課題画像情報と同じ構図での前記撮像対象物の撮像を課題とするイベントを提供し、画像に関する判断に判断者を活用するために判断者の有する判断者端末との間で画像情報を送受信する、イベント提供システムサーバを用いたイベント提供システムであって、
前記イベント提供システムサーバは、
前記課題画像情報を記憶する課題画像情報記憶手段と、
前記利用者に対して与えた前記課題画像情報と同じ構図で前記撮像対象物の撮像を前記利用者に求めるイベントルール情報を、該イベントルール情報に対応した前記判断者向け判断基準情報とともに記憶するイベントルール情報記憶手段と、
前記利用者端末からイベント開始要求を受け付けると、受け付けたイベント開始要求に基づいて前記イベントルール情報記憶手段から前記イベントルール情報を取得するイベントルール情報取得手段と、
前記イベントルール情報取得手段が取得した前記イベントルール情報に基づいて前記課題画像情報記憶手段から課題となる前記課題画像情報を取得する課題画像情報取得手段と、
前記課題画像情報取得手段が取得した前記課題画像情報を、前記イベントルール情報取
得手段が取得した前記イベントルール情報とともに送信する情報送信手段とを有しており、
前記イベント提供システムサーバは、前記利用者端末から前記課題に対応する撮像画像情報を受け付けると、前記情報出力手段に出力した前記イベントルール情報に対応する前記判断基準情報を前記イベントルール情報記憶手段から判断基準情報取得手段によって取得し、
前記情報送信手段は、前記判断基準情報取得手段が取得した前記判断基準情報とともに、受け付けた撮像画像情報と課題である前記課題画像情報とを前記判断者端末に送信し、
前記イベント提供システムサーバは、前記情報送信手段が送信した前記判断基準情報に基づいて入力された判断結果情報を前記判断者端末から受信すると、受信した判断結果情報に基づいて前記課題の達成／ 未達成を課題達成／未達成判断手段によって判断し、
前記情報送信手段は、前記課題達成／未達成判断手段が判断した前記課題の達成／未達成を示す情報を前記利用者端末に送信し、
前記利用者端末は、
前記イベント提供システムサーバから受信した前記課題の達成／未達成を示す情報を前記情報出力手段に出力することを特徴とする、イベント提供システムサーバを用いたイベント提供システム。
【請求項５】
撮像対象物をあらかじめ撮像した撮像画像情報をイベント提供システムサーバから利用者の持つ利用者端末に課題画像情報として送信・表示させて、該課題画像情報と同じ構図での前記撮像対象物の撮像を課題とするイベントを提供し、画像に関する判断に判断者を活用するために判断者の有する判断者端末との間で画像情報を送受信する、イベント提供システムサーバを用いたイベント提供システムであって、
前記イベント提供システムサーバは、
前記課題画像情報が撮像された撮像場所を含んだあらかじめ定めるエリアを示す課題画像撮像エリア情報とともに前記課題画像情報を記憶する課題画像情報記憶手段と、
前記撮像画像情報のうち、前記撮像対象物の形状や外観など見た目の特徴がよくわかる前記撮像画像情報をサンプル画像情報として記憶するサンプル画像情報記憶手段と、
前記利用者に対して与えた前記課題画像情報と同じ構図で前記撮像対象物の撮像を前記利用者に求めるイベントルール情報を、該イベントルール情報に対応した前記判断者向け判断基準情報とともに記憶するイベントルール情報記憶手段と、
前記利用者端末からイベント開始要求を受け付けると、受け付けたイベント開始要求に基づいて前記イベントルール情報記憶手段から前記イベントルール情報を取得するイベントルール情報取得手段と、
前記イベントルール情報取得手段が取得した前記イベントルール情報に基づいて前記課題画像情報記憶手段から課題となる前記課題画像情報を取得する課題画像情報取得手段と、
前記課題画像情報取得手段が取得した前記課題画像情報を、前記イベントルール情報取得手段が取得した前記イベントルール情報とともに送信する情報送信手段とを有しており、
前記イベント提供システムサーバは、前記利用者端末から前記課題に対応する撮像画像情報を該撮像画像情報が撮像された場所を示す撮像場所情報とともに受け付けると、前記情報出力手段に出力した前記イベントルール情報に対応する前記判断基準情報を前記イベントルール情報記憶手段から判断基準情報取得手段によって取得し、
前記イベント提供システムサーバは、受け付けた前記撮像画像情報に対応する前記サンプル画像情報を前記サンプル画像情報記憶手段からサンプル画像情報取得手段によって取得し、
前記情報送信手段は、前記判断基準情報取得手段が取得した前記判断基準情報と、前記サンプル画像情報取得手段が取得した前記サンプル画像情報と、前記撮像画像情報とを前記判断者端末に送信し、
前記イベント提供システムサーバは、前記情報送信手段が送信した前記判断基準情報に基づいて入力された判断結果情報を前記判断者端末から受信すると、受信した判断結果情報に基づいて、受け付けた前記撮像画像情報に前記撮像対象物が撮像されているか否かを課題達成／未達成判断手段によって判断し、
前記イベント提供システムサーバは、前記撮像対象物判断手段によって、受け付けた前記撮像画像情報に前記撮像対象物が撮像されていると判断した場合には前記課題画像情報とともに記憶される前記課題画像撮像エリア情報を前記課題画像情報記憶手段から課題画像撮像エリア情報取得手段によって取得し、
前記イベント提供システムサーバは、前記課題画像撮像エリア情報取得手段が取得した前記課題画像撮像エリア情報が示す撮像場所のエリアに受け付けた撮像場所情報が含まれるか否かを撮像場所判断手段によって判断し、
前記イベント提供システムサーバは、前記撮像場所判断手段によって、前記課題画像撮像エリア情報が示す撮像場所のエリアに受け付けた前記撮像場所情報が含まれると判断した場合には課題達成を示す結果情報を前記利用者端末に送信し、前記課題画像撮像エリア情報が示す撮像場所のエリアに受け付けた撮像撮像場所情報が含まれないと判断した場合には撮像場所違いを示す結果情報を前記利用者端末に送信し、受け付けた前記撮像画像情報に前記撮像対象物が撮像されていないと判断した場合には撮像対象物違いを示す結果情報を前記利用者端末に送信して、
前記利用者端末は、前記イベント提供システムサーバから受信した前記結果情報を前記情報出力手段に出力することを特徴とする、イベント提供システムサーバを用いたイベント提供システム。
【請求項６】
前記イベント提供システムサーバは、イベント開始からの経過時間または前記利用者に許された制限時間を時間情報として計測する時間計測手段をさらに有し、
前記画題画像情報記憶手段に記憶された前記課題画像撮像エリア情報は、あらかじめ定める時間ごとに段階的にエリアが縮小されるエリア情報であって、前記課題画像撮像エリア情報取得手段は前記時間計測手段が計測した時間情報に基づいて、段階的にエリアが縮小される前記課題画像撮像エリア情報のうちのひとつを取得し、
前記イベント提供システムサーバは、前記撮像場所判断手段によって、前記課題画像撮像エリア情報が示す撮像場所のエリアに受け付けた撮像場所情報が含まれないと判断した場合には撮像場所違いを示すとともにイベント非継続を示す結果情報を前記利用者端末に送信して、イベントを終了することを特徴とする請求項３または５に記載のイベント提供システム。
【請求項７】
前記イベント提供システムサーバは、
イベント開始からの経過時間または前記利用者に許された制限時間を時間情報として計測する時間計測手段と、
前記利用者の現在場所を示す現在場所情報の更新を受け付けると、前記時間計測手段で計測された前記時間情報を取得する時間情報取得手段とをさらに有し、
前記画題画像情報記憶手段に記憶された前記課題画像撮像エリア情報はあらかじめ定める時間ごとに段階的にエリアが縮小されるエリア情報であって、前記課題画像撮像エリア情報取得手段は前記時間情報取得手段が取得した時間情報に基づいて、段階的にエリアが縮小される前記課題画像撮像エリア情報のうちのひとつを取得し、
前記イベント提供システムサーバは、前記課題画像撮像エリア情報取得手段が取得した前記課題画像撮像エリア情報が示す撮像場所のエリアに、受け付けた前記現在場所情報が含まれない場合にはイベント非継続を示す結果情報を前記利用者端末に送信して、イベントを終了することを特徴とする請求項３または５に記載のイベント提供システム。
【請求項８】
前記イベント提供システムサーバは、
イベント開始からの経過時間または前記利用者に許された制限時間を時間情報として計
測する時間計測手段と、
前記時間計測手段が計測した前記時間情報に応じて、前記利用者の現在場所を示す現在場所情報を取得する現在場所情報取得手段とをさらに有し、
前記画題画像情報記憶手段に記憶された前記課題画像撮像エリア情報はあらかじめ定める時間ごとに段階的にエリアが縮小されるエリア情報であって、前記現在場所情報取得手段が前記現場所情報を取得すると、前記課題画像撮像エリア情報取得手段は前記時間情報計測手段が計測した時間情報に基づいて、段階的にエリアが縮小される前記課題画像撮像エリア情報のうちのひとつを取得し、
前記イベント提供システムサーバは、前記課題画像撮像エリア情報取得手段が取得した前記課題画像撮像エリア情報が示す撮像場所のエリアに、前記現在場所情報取得手段が取得した前記現在場所情報が含まれない場合にはイベント非継続を示す結果情報を前記利用者端末に送信して、イベントを終了することを特徴とする請求項３または５に記載のイベント提供システム。
【請求項９】
撮像対象物をあらかじめ撮像した撮像画像情報をイベント提供システムサーバから利用者の持つ利用者端末に課題画像情報として送信・表示させて、該課題画像情報と同じ構図での前記撮像対象物の撮像を課題とするイベントを提供するイベント提供システムを用いたイベント提供方法であって、
前記イベント提供システムサーバは、前記課題画像情報を課題画像情報記憶手段に記憶し、
前記イベント提供システムサーバは、前記利用者に対して与えた前記課題画像情報と同じ構図で前記撮像対象物の撮像を前記利用者に求めるイベントルール情報をイベントルール情報記憶手段に記憶し、
前記イベント提供システムサーバは、前記利用者端末からイベント開始要求を受け付けると、受け付けたイベント開始要求に基づいて前記イベントルール情報記憶手段から前記イベントルール情報をイベントルール情報取得手段によって取得し、
前記イベント提供システムサーバは、前記イベントルール情報取得手段が取得した前記イベントルール情報に基づいて前記課題画像情報記憶手段から課題となる前記課題画像情報を課題画像情報取得手段によって取得し、
前記イベント提供システムサーバは、前記課題画像情報取得手段が取得した前記課題画像情報を、前記イベントルール情報取得手段が取得した前記イベントルール情報とともに送信して、
前記利用者端末は、前記イベント提供システムサーバから受信した前記課題画像情報を前記イベントルール情報とともに情報出力手段に出力することを特徴とする、イベント提供システムサーバによるイベント提供方法。
【請求項１０】
前記イベント提供システムサーバは、前記利用者端末から前記課題に対応する撮像画像情報を受け付けると、受け付けた撮像画像情報と課題である前記課題画像情報とが一致するか否かを示す適合度合を画像適合度合判断手段によって判断し、
前記イベント提供システムサーバは、前記画像適合度合判断手段が判断した前記適合度合に基づいて前記課題の達成／未達成を課題達成／未達成判断手段によって判断し、
前記イベント提供システムサーバは、前記課題達成／未達成判断手段が判断した前記課題の達成／未達成を示す情報を前記利用者端末に送信し、
前記利用者端末は、前記イベント提供システムサーバから受信した前記課題の達成／未達成を示す情報を前記情報出力手段に出力することを特徴とする請求項９に記載のイベント提供方法。
【請求項１１】
前記イベント提供システムサーバは、前記課題画像情報記憶手段に、前記課題画像情報を、前記課題画像情報が撮像された撮像場所を含んだあらかじめ定めるエリアを示す課題画像撮像エリア情報とを組にして記憶し、
前記イベント提供システムサーバは、前記撮像対象物の形状的特徴情報を撮像対象物特徴情報記憶手段に記憶し、
前記イベント提供システムサーバは、前記利用者端末から前記課題に対応する撮像画像情報を該撮像画像情報が撮像された場所を示す撮像場所情報とともに受け付けると、受け付けた撮像画像情報に対応する前記課題画像情報に撮像されている前記撮像対象物の形状的特徴情報を前記撮像対象物特徴情報記憶手段から撮像対象物特徴情報取得手段によって取得し、
前記イベント提供システムサーバは、前記撮像対象物特徴情報取得手段が取得した前記撮像対象物の形状的特徴情報に基づいて、受け付けた前記撮像画像情報に前記撮像対象物が撮像されているか否かを撮像対象物判断手段によって判断し、
前記イベント提供システムサーバは、前記撮像対象物判断手段によって、受け付けた前記撮像画像情報に前記撮像対象物が撮像されていると判断した場合には前記課題画像情報とともに記憶される前記課題画像撮像エリア情報を前記課題画像情報記憶手段から課題画像撮像エリア情報取得手段によって取得し、
前記イベント提供システムサーバは、前記課題画像撮像エリア情報取得手段が取得した前記課題画像撮像エリア情報が示す撮像場所のエリアに受け付けた撮像場所情報が含まれるか否かを撮像場所判断手段によって判断し、
前記イベント提供システムサーバは、前記撮像場所判断手段によって、前記課題画像撮像エリア情報が示す撮像場所のエリアに受け付けた前記撮像場所情報が含まれると判断した場合には課題達成を示す結果情報を前記利用者端末に送信し、前記課題画像撮像エリア情報が示す撮像場所のエリアに受け付けた撮像場所情報が含まれないと判断した場合には撮像場所違いを示す結果情報を前記利用者端末に送信し、受け付けた前記撮像画像情報に前記撮像対象物が撮像されていないと判断した場合には撮像対象物違いを示す結果情報を前記利用者端末に送信して、
前記利用者端末は、前記イベント提供システムサーバから受信した前記結果情報を前記情報出力手段に出力することを特徴とする請求項９に記載のイベント提供方法。
【請求項１２】
撮像対象物をあらかじめ撮像した撮像画像情報をイベント提供システムサーバから利用者の持つ利用者端末に課題画像情報として送信・表示させて、該課題画像情報と同じ構図での前記撮像対象物の撮像を課題とするイベントを提供し、画像に関する判断に判断者を活用するために判断者の有する判断者端末との間で画像情報を送受信するイベント提供システムを用いたイベント提供方法であって、
前記イベント提供システムサーバは、前記課題画像情報を課題画像情報記憶手段に記憶し、
前記イベント提供システムサーバは、前記利用者に対して与えた前記課題画像情報と同じ構図で前記撮像対象物の撮像を前記利用者に求めるイベントルール情報を、該イベントルール情報に対応した前記判断者向け判断基準情報とともにイベントルール情報記憶手段に記憶し、
前記イベント提供システムサーバは、前記利用者端末からイベント開始要求を受け付けると、受け付けたイベント開始要求に基づいて前記イベントルール情報記憶手段から前記イベントルール情報をイベントルール情報取得手段によって取得し、
前記イベント提供システムサーバは、前記イベントルール情報取得手段が取得した前記イベントルール情報に基づいて前記課題画像情報記憶手段から課題となる前記課題画像情報を課題画像情報取得手段によって取得し、
前記イベント提供システムサーバは、前記課題画像情報取得手段が取得した前記課題画像情報を、前記イベントルール情報取得手段が取得した前記イベントルール情報とともに送信し、
前記イベント提供システムサーバは、前記利用者端末から前記課題に対応する撮像画像情報を受け付けると、前記情報出力手段に出力した前記イベントルール情報に対応する前記判断基準情報を前記イベントルール情報記憶手段から判断基準情報取得手段によって取
得し、
前記イベント提供システムサーバは、前記判断基準情報取得手段が取得した前記判断基準情報とともに、受け付けた撮像画像情報と課題である前記課題画像情報とを前記判断者端末に送信し、
前記イベント提供システムサーバは、前記情報送信手段が送信した前記判断基準情報に基づいて入力された判断結果情報を前記判断者端末から受信すると、受信した判断結果情報に基づいて前記課題の達成／ 未達成を課題達成／未達成判断手段によって判断し、
前記情報送信手段は、前記課題達成／未達成判断手段が判断した前記課題の達成／未達成を示す情報を前記利用者端末に送信し、
前記利用者端末は、前記イベント提供システムサーバから受信した前記課題の達成／未達成を示す情報を前記情報出力手段に出力することを特徴とする、イベント提供システムサーバによるイベント提供方法。
【請求項１３】
撮像対象物をあらかじめ撮像した撮像画像情報をイベント提供システムサーバから利用者の持つ利用者端末に課題画像情報として送信・表示させて、該課題画像情報と同じ構図での前記撮像対象物の撮像を課題とするイベントを提供し、画像に関する判断に判断者を活用するために判断者の有する判断者端末との間で画像情報を送受信するイベント提供システムを用いたイベント提供方法であって、
前記イベント提供システムサーバは、前記課題画像情報が撮像された撮像場所を含んだあらかじめ定めるエリアを示す課題画像撮像エリア情報とともに前記課題画像情報を課題画像情報記憶手段に記憶し、
前記イベント提供システムサーバは、前記撮像画像情報のうち、前記撮像対象物の形状や外観など見た目の特徴がよくわかる前記撮像画像情報をサンプル画像情報としてサンプル画像情報記憶手段に記憶し、
前記イベント提供システムサーバは、前記利用者に対して与えた前記課題画像情報と同じ構図で前記撮像対象物の撮像を前記利用者に求めるイベントルール情報を、該イベントルール情報に対応した前記判断者向け判断基準情報とともにイベントルール情報記憶手段に記憶し、
前記イベント提供システムサーバは、前記利用者端末からイベント開始要求を受け付けると、受け付けたイベント開始要求に基づいて前記イベントルール情報記憶手段から前記イベントルール情報をイベントルール情報取得手段によって取得し、
前記イベント提供システムサーバは、前記イベントルール情報取得手段が取得した前記イベントルール情報に基づいて前記課題画像情報記憶手段から課題となる前記課題画像情報を課題画像情報取得手段によって取得し、
前記イベント提供システムサーバは、前記課題画像情報取得手段が取得した前記課題画像情報を、前記イベントルール情報取得手段が取得した前記イベントルール情報とともに送信し、
前記イベント提供システムサーバは、前記利用者端末から前記課題に対応する撮像画像情報を該撮像画像情報が撮像された場所を示す撮像場所情報とともに受け付けると、前記情報出力手段に出力した前記イベントルール情報に対応する前記判断基準情報を前記イベントルール情報記憶手段から判断基準情報取得手段によって取得し、
前記イベント提供システムサーバは、受け付けた前記撮像画像情報に対応する前記サンプル画像情報を前記サンプル画像情報記憶手段からサンプル画像情報取得手段によって取得し、
前記イベント提供システムサーバは、前記判断基準情報取得手段が取得した前記判断基準情報と、前記サンプル画像情報取得手段が取得した前記サンプル画像情報と、前記撮像画像情報とを前記判断者端末に送信し、
前記イベント提供システムサーバは、前記情報送信手段が送信した前記判断基準情報に基づいて入力された判断結果情報を前記判断者端末から受信すると、受信した判断結果情報に基づいて、受け付けた前記撮像画像情報に前記撮像対象物が撮像されているか否かを
課題達成／未達成判断手段によって判断し、
前記イベント提供システムサーバは、前記撮像対象物判断手段によって、受け付けた前記撮像画像情報に前記撮像対象物が撮像されていると判断した場合には前記課題画像情報とともに記憶される前記課題画像撮像エリア情報を前記課題画像情報記憶手段から課題画像撮像エリア情報取得手段によって取得し、
前記イベント提供システムサーバは、前記課題画像撮像エリア情報取得手段が取得した前記課題画像撮像エリア情報が示す撮像場所のエリアに受け付けた撮像場所情報が含まれるか否かを撮像場所判断手段によって判断し、
前記イベント提供システムサーバは、前記撮像場所判断手段によって、前記課題画像撮像エリア情報が示す撮像場所のエリアに受け付けた前記撮像場所情報が含まれると判断した場合には課題達成を示す結果情報を前記利用者端末に送信し、前記課題画像撮像エリア情報が示す撮像場所のエリアに受け付けた撮像場所情報が含まれないと判断した場合には撮像場所違いを示す結果情報を前記利用者端末に送信し、受け付けた前記撮像画像情報に前記撮像対象物が撮像されていないと判断した場合には撮像対象物違いを示す結果情報を前記利用者端末に送信して、
前記利用者端末は、前記イベント提供システムサーバから受信した前記結果情報を前記情報出力手段に出力することを特徴とする、イベント提供システムサーバによるイベント提供方法。
【請求項１４】
前記イベント提供システムサーバは、イベント開始からの経過時間または前記利用者に許された制限時間を時間情報として時間計測手段によって計測し、
前記画題画像情報記憶手段に記憶された前記課題画像撮像エリア情報は、あらかじめ定める時間ごとに段階的にエリアが縮小されるエリア情報であって、前記イベント提供システムサーバは、前記課題画像撮像エリア情報取得手段は前記時間計測手段が計測した時間情報に基づいて、段階的にエリアが縮小される前記課題画像撮像エリア情報のうちのひとつを取得し、
前記イベント提供システムサーバは、前記撮像場所判断手段によって、前記課題画像撮像エリア情報が示す撮像場所のエリアに受け付けた撮像場所情報が含まれないと判断した場合には撮像場所違いを示すとともにイベント非継続を示す結果情報を前記利用者端末に送信して、イベントを終了することを特徴とする請求項１１または１３に記載のイベント提供方法。
【請求項１５】
前記イベント提供システムサーバは、イベント開始からの経過時間または前記利用者に許された制限時間を時間情報として時間計測手段によって計測し、
前記イベント提供システムサーバは、前記利用者の現在場所を示す現在場所情報の更新を受け付けると、前記時間計測手段で計測された前記時間情報を時間情報取得手段によって取得し、
前記画題画像情報記憶手段に記憶された前記課題画像撮像エリア情報はあらかじめ定める時間ごとに段階的にエリアが縮小されるエリア情報であって、前記イベント提供システムサーバは、前記課題画像撮像エリア情報取得手段は前記時間情報取得手段が取得した時間情報に基づいて、段階的にエリアが縮小される前記課題画像撮像エリア情報のうちのひとつを取得し、
前記イベント提供システムサーバは、前記課題画像撮像エリア情報取得手段が取得した前記課題画像撮像エリア情報が示す撮像場所のエリアに、受け付けた前記現在場所情報が含まれない場合にはイベント非継続を示す結果情報を前記利用者端末に送信して、イベントを終了することを特徴とする請求項１１または１３に記載のイベント提供方法。
【請求項１６】
前記イベント提供システムサーバは、イベント開始からの経過時間または前記利用者に許された制限時間を時間情報として時間計測手段によって計測し、
前記イベント提供システムサーバは、前記時間計測手段が計測した前記時間情報に応じ
て、前記利用者の現在場所を示す現在場所情報を現在場所情報取得手段によって取得し、
前記画題画像情報記憶手段に記憶された前記課題画像撮像エリア情報はあらかじめ定める時間ごとに段階的にエリアが縮小されるエリア情報であって、前記イベント提供システムサーバは、前記現在場所情報取得手段が前記現場所情報を取得すると、前記課題画像撮像エリア情報取得手段は前記時間情報計測手段が計測した時間情報に基づいて、段階的にエリアが縮小される前記課題画像撮像エリア情報のうちのひとつを取得し、
前記イベント提供システムサーバは、前記課題画像撮像エリア情報取得手段が取得した前記課題画像撮像エリア情報が示す撮像場所のエリアに、前記現在場所情報取得手段が取得した前記現在場所情報が含まれない場合にはイベント非継続を示す結果情報を前記利用者端末に送信して、イベントを終了することを特徴とする請求項１１または１３に記載のイベント提供方法。
【手続補正２】
【補正対象書類名】明細書
【補正対象項目名】００１１
【補正方法】変更
【補正の内容】
【００１１】
本発明は、撮像対象物をあらかじめ撮像した撮像画像情報をイベント提供システムサーバから利用者の持つ利用者端末に課題画像情報として送信・表示させて、該課題画像情報と同じ構図での前記撮像対象物の撮像を課題とするイベントを提供するために、前記イベント提供システムサーバは、前記課題画像情報を課題画像情報記憶手段に記憶し、前記イベント提供システムサーバは、前記利用者に対して与えた前記課題画像情報と同じ構図で前記撮像対象物の撮像を前記利用者に求めるイベントルール情報をイベントルール情報記憶手段に記憶し、前記イベント提供システムサーバは、前記利用者端末からイベント開始要求を受け付けると、受け付けたイベント開始要求に基づいて前記イベントルール情報記憶手段から前記イベントルール情報をイベントルール情報取得手段によって取得し、前記イベント提供システムサーバは、前記イベントルール情報取得手段が取得した前記イベントルール情報に基づいて前記課題画像情報記憶手段から課題となる前記課題画像情報を課題画像情報取得手段によって取得し、前記イベント提供システムサーバは、前記課題画像情報取得手段が取得した前記課題画像情報を、前記イベントルール情報取得手段が取得した前記イベントルール情報とともに送信して、前記利用者端末は、前記イベント提供システムサーバから受信した前記課題画像情報を前記イベントルール情報とともに情報出力手段に出力するようにした。


【手続補正３】
【補正対象書類名】明細書
【補正対象項目名】００１２
【補正方法】変更
【補正の内容】
【００１２】
また、前記イベント提供システムサーバは、前記利用者端末から前記課題に対応する撮像画像情報を受け付けると、受け付けた撮像画像情報と課題である前記課題画像情報とが一致するか否かを示す適合度合を画像適合度合判断手段によって判断し、前記イベント提供システムサーバは、前記画像適合度合判断手段が判断した前記適合度合に基づいて前記課題の達成／未達成を課題達成／未達成判断手段によって判断し、前記イベント提供システムサーバは、前記課題達成／未達成判断手段が判断した前記課題の達成／未達成を示す情報を前記利用者端末に送信し、前記利用者端末は、前記イベント提供システムサーバから受信した前記課題の達成／未達成を示す情報を前記情報出力手段に出力するようにしてもよい。


【手続補正４】
【補正対象書類名】明細書
【補正対象項目名】００１４
【補正方法】変更
【補正の内容】
【００１４】
また、前記イベント提供システムサーバは、前記課題画像情報記憶手段に、前記課題画像情報を、前記課題画像情報が撮像された撮像場所を含んだあらかじめ定めるエリアを示す課題画像撮像エリア情報とを組にして記憶し、前記イベント提供システムサーバは、前記撮像対象物の形状的特徴情報を撮像対象物特徴情報記憶手段に記憶し、前記イベント提供システムサーバは、前記利用者端末から前記課題に対応する撮像画像情報を該撮像画像情報が撮像された場所を示す撮像場所情報とともに受け付けると、受け付けた撮像画像情報に対応する前記課題画像情報に撮像されている前記撮像対象物の形状的特徴情報を前記撮像対象物特徴情報記憶手段から撮像対象物特徴情報取得手段によって取得し、前記イベント提供システムサーバは、前記撮像対象物特徴情報取得手段が取得した前記撮像対象物の形状的特徴情報に基づいて、受け付けた前記撮像画像情報に前記撮像対象物が撮像されているか否かを撮像対象物判断手段によって判断し、前記イベント提供システムサーバは、前記撮像対象物判断手段によって、受け付けた前記撮像画像情報に前記撮像対象物が撮像されていると判断した場合には前記課題画像情報とともに記憶される前記課題画像撮像エリア情報を前記課題画像情報記憶手段から課題画像撮像エリア情報取得手段によって取得し、前記イベント提供システムサーバは、前記課題画像撮像エリア情報取得手段が取得した前記課題画像撮像エリア情報が示す撮像場所のエリアに受け付けた撮像場所情報が含まれるか否かを撮像場所判断手段によって判断し、前記イベント提供システムサーバは、前記撮像場所判断手段によって、前記課題画像撮像エリア情報が示す撮像場所のエリアに受け付けた前記撮像場所情報が含まれると判断した場合には課題達成を示す結果情報を前記利用者端末に送信し、前記課題画像撮像エリア情報が示す撮像場所のエリアに受け付けた撮像場所情報が含まれないと判断した場合には撮像場所違いを示す結果情報を前記利用者端末に送信し、受け付けた前記撮像画像情報に前記撮像対象物が撮像されていないと判断した場合には撮像対象物違いを示す結果情報を前記利用者端末に送信して、前記利用者端末は、前記イベント提供システムサーバから受信した前記結果情報を前記情報出力手段に出力するようにしてもよい。


【手続補正５】
【補正対象書類名】明細書
【補正対象項目名】００１６
【補正方法】変更
【補正の内容】
【００１６】
また、撮像対象物をあらかじめ撮像した撮像画像情報をイベント提供システムサーバから利用者の持つ利用者端末に課題画像情報として送信・表示させて、該課題画像情報と同じ構図での前記撮像対象物の撮像を課題とするイベントを提供し、画像に関する判断に判断者を活用するために判断者の有する判断者端末との間で画像情報を送受信するように、前記イベント提供システムサーバは、前記課題画像情報を課題画像情報記憶手段に記憶し、前記イベント提供システムサーバは、前記利用者に対して与えた前記課題画像情報と同じ構図で前記撮像対象物の撮像を前記利用者に求めるイベントルール情報を、該イベントルール情報に対応した前記判断者向け判断基準情報とともにイベントルール情報記憶手段に記憶し、前記イベント提供システムサーバは、前記利用者端末からイベント開始要求を受け付けると、受け付けたイベント開始要求に基づいて前記イベントルール情報記憶手段から前記イベントルール情報をイベントルール情報取得手段によって取得し、前記イベント提供システムサーバは、前記イベントルール情報取得手段が取得した前記イベントルール情報に基づいて前記課題画像情報記憶手段から課題となる前記課題画像情報を課題画像情報取得手段によって取得し、前記イベント提供システムサーバは、前記課題画像情報取得手段が取得した前記課題画像情報を、前記イベントルール情報取得手段が取得した前記イベントルール情報とともに送信し、前記イベント提供システムサーバは、前記利用者端末から前記課題に対応する撮像画像情報を受け付けると、前記情報出力手段に出力した前記イベントルール情報に対応する前記判断基準情報を前記イベントルール情報記憶手段から判断基準情報取得手段によって取得し、前記イベント提供システムサーバは、前記判断基準情報取得手段が取得した前記判断基準情報とともに、受け付けた撮像画像情報と課題である前記課題画像情報とを前記判断者端末に送信し、前記イベント提供システムサーバは、前記情報送信手段が送信した前記判断基準情報に基づいて入力された判断結果情報を前記判断者端末から受信すると、受信した判断結果情報に基づいて前記課題の達成／ 未達成を課題達成／未達成判断手段によって判断し、前記情報送信手段は、前記課題達成／未達成判断手段が判断した前記課題の達成／未達成を示す情報を前記利用者端末に送信し、前記利用者端末は、前記イベント提供システムサーバから受信した前記課題の達成／未達成を示す情報を前記情報出力手段に出力するようにしてもよい。


【手続補正６】
【補正対象書類名】明細書
【補正対象項目名】００１８
【補正方法】変更
【補正の内容】
【００１８】
また、撮像対象物をあらかじめ撮像した撮像画像情報をイベント提供システムサーバから利用者の持つ利用者端末に課題画像情報として送信・表示させて、該課題画像情報と同じ構図での前記撮像対象物の撮像を課題とするイベントを提供し、画像に関する判断に判断者を活用するために判断者の有する判断者端末との間で画像情報を送受信するように、前記イベント提供システムサーバは、前記課題画像情報が撮像された撮像場所を含んだあらかじめ定めるエリアを示す課題画像撮像エリア情報とともに前記課題画像情報を課題画像情報記憶手段に記憶し、前記イベント提供システムサーバは、前記撮像画像情報のうち、前記撮像対象物の形状や外観など見た目の特徴がよくわかる前記撮像画像情報をサンプル画像情報としてサンプル画像情報記憶手段に記憶し、前記イベント提供システムサーバは、前記利用者に対して与えた前記課題画像情報と同じ構図で前記撮像対象物の撮像を前記利用者に求めるイベントルール情報を、該イベントルール情報に対応した前記判断者向け判断基準情報とともにイベントルール情報記憶手段記憶にし、前記イベント提供システムサーバは、前記利用者端末からイベント開始要求を受け付けると、受け付けたイベント開始要求に基づいて前記イベントルール情報記憶手段から前記イベントルール情報をイベントルール情報取得手段によって取得し、前記イベント提供システムサーバは、前記イベントルール情報取得手段が取得した前記イベントルール情報に基づいて前記課題画像情報記憶手段から課題となる前記課題画像情報を課題画像情報取得手段によって取得し、前記イベント提供システムサーバは、前記課題画像情報取得手段が取得した前記課題画像情報を、前記イベントルール情報取得手段が取得した前記イベントルール情報とともに送信し、前記イベント提供システムサーバは、前記利用者端末から前記課題に対応する撮像画像情報を該撮像画像情報が撮像された場所を示す撮像場所情報とともに受け付けると、前記情報出力手段に出力した前記イベントルール情報に対応する前記判断基準情報を前記イベントルール情報記憶手段から判断基準情報取得手段によって取得し、前記イベント提供システムサーバは、受け付けた前記撮像画像情報に対応する前記サンプル画像情報を前記サンプル画像情報記憶手段からサンプル画像情報取得手段によって取得し、前記イベント提供システムサーバは、前記判断基準情報取得手段が取得した前記判断基準情報と、前記サンプル画像情報取得手段が取得した前記サンプル画像情報と、前記撮像画像情報とを前記判断者端末に送信し、前記イベント提供システムサーバは、前記情報送信手段が送信した前記判断基準情報に基づいて入力された判断結果情報を前記判断者端末から受信すると、受信した判断結果情報に基づいて、受け付けた前記撮像画像情報に前記撮像対象物が撮像されているか否かを課題達成／未達成判断手段によって判断し、前記イベント提供システムサーバは、前記撮像対象物判断手段によって、受け付けた前記撮像画像情報に前記撮像対象物が撮像されていると判断した場合には前記課題画像情報とともに記憶される前記課題画像撮像エリア情報を前記課題画像情報記憶手段から課題画像撮像エリア情報取得手段によって取得し、前記イベント提供システムサーバは、前記課題画像撮像エリア情報取得手段が取得した前記課題画像撮像エリア情報が示す撮像場所のエリアに受け付けた撮像場所情報が含まれるか否かを撮像場所判断手段によって判断し、前記イベント提供システムサーバは、前記撮像場所判断手段によって、前記課題画像撮像エリア情報が示す撮像場所のエリアに受け付けた前記撮像場所情報が含まれると判断した場合には課題達成を示す結果情報を前記利用者端末に送信し、前記課題画像撮像エリア情報が示す撮像場所のエリアに受け付けた撮像場所情報が含まれないと判断した場合には撮像場所違いを示す結果情報を前記利用者端末に送信し、受け付けた前記撮像画像情報に前記撮像対象物が撮像されていないと判断した場合には撮像対象物違いを示す結果情報を前記利用者端末に送信して、
前記利用者端末は、前記イベント提供システムサーバから受信した前記結果情報を前記情報出力手段に出力するようにしてもよい。


【手続補正７】
【補正対象書類名】明細書
【補正対象項目名】００２０
【補正方法】変更
【補正の内容】
【００２０】
また、前記イベント提供システムサーバは、イベント開始からの経過時間または前記利用者に許された制限時間を時間情報として時間計測手段によって計測し、前記画題画像情報記憶手段に記憶された前記課題画像撮像エリア情報は、あらかじめ定める時間ごとに段階的にエリアが縮小されるエリア情報であって、前記イベント提供システムサーバは、前記課題画像撮像エリア情報取得手段は前記時間計測手段が計測した時間情報に基づいて、段階的にエリアが縮小される前記課題画像撮像エリア情報のうちのひとつを取得し、前記イベント提供システムサーバは、前記撮像場所判断手段によって、前記課題画像撮像エリア情報が示す撮像場所のエリアに受け付けた撮像場所情報が含まれないと判断した場合には撮像場所違いを示すとともにイベント非継続を示す結果情報を前記利用者端末に送信して、イベントを終了するようにしてもよい。


【手続補正８】
【補正対象書類名】明細書
【補正対象項目名】００２１
【補正方法】変更
【補正の内容】
【００２１】
また、前記イベント提供システムサーバは、イベント開始からの経過時間または前記利用者に許された制限時間を時間情報として時間計測手段によって計測し、前記イベント提供システムサーバは、前記利用者の現在場所を示す現在場所情報の更新を受け付けると、前記時間計測手段で計測された前記時間情報を時間情報取得手段によって取得し、前記画題画像情報記憶手段に記憶された前記課題画像撮像エリア情報はあらかじめ定める時間ごとに段階的にエリアが縮小されるエリア情報であって、前記イベント提供システムサーバは、前記課題画像撮像エリア情報取得手段は前記時間情報取得手段が取得した時間情報に基づいて、段階的にエリアが縮小される前記課題画像撮像エリア情報のうちのひとつを取得し、前記イベント提供システムサーバは、前記課題画像撮像エリア情報取得手段が取得した前記課題画像撮像エリア情報が示す撮像場所のエリアに、受け付けた前記現在場所情報が含まれない場合にはイベント非継続を示す結果情報を前記利用者端末に送信して、イベントを終了するようにしてもよい。


【手続補正９】
【補正対象書類名】明細書
【補正対象項目名】００２２
【補正方法】変更
【補正の内容】
【００２２】
また、前記イベント提供システムサーバは、イベント開始からの経過時間または前記利用者に許された制限時間を時間情報として時間計測手段によって計測し、前記イベント提供システムサーバは、前記時間計測手段が計測した前記時間情報に応じて、前記利用者の現在場所を示す現在場所情報を現在場所情報取得手段によって取得し、前記画題画像情報記憶手段に記憶された前記課題画像撮像エリア情報はあらかじめ定める時間ごとに段階的にエリアが縮小されるエリア情報であって、前記イベント提供システムサーバは、前記現在場所情報取得手段が前記現場所情報を取得すると、前記課題画像撮像エリア情報取得手段は前記時間情報計測手段が計測した時間情報に基づいて、段階的にエリアが縮小される前記課題画像撮像エリア情報のうちのひとつを取得し、前記イベント提供システムサーバは、前記課題画像撮像エリア情報取得手段が取得した前記課題画像撮像エリア情報が示す撮像場所のエリアに、前記現在場所情報取得手段が取得した前記現在場所情報が含まれない場合にはイベント非継続を示す結果情報を前記利用者端末に送信して、イベントを終了するようにしてもよい。